(57)【要約】  本発明は、システム情報の伝送方法、ネットワークデバイス、および端末デバイスを提供する。この方法において、ネットワークデバイスがｎグループのシステム情報を伝送するのに用いられる時間周波数リソースを確定するステップと、前記ネットワークデバイスが前記時間周波数リソースで前記ｎグループのシステム情報を送信するステップとを含み、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なって、第ｉグループのシステム情報はｋ個のシステム情報を含み、ここで、前記ｎは正の整数であり、前記ｋは正の整数であり、前記ｉはｎ以下の正の整数である。したがって異なるタイプの端末デバイスが取得するシステム情報に対する異なるニーズを同時に満足させることができる。
2019531648.tif 000002
【特許請求の範囲】
【請求項１】
ネットワークデバイスがｎグループのシステム情報を伝送するのに用いられる時間周波数リソースを確定するステップと、
前記ネットワークデバイスが前記時間周波数リソースで前記ｎグループのシステム情報を送信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項２】
前記第ｉグループのシステム情報中のシステム情報は連続されるシステム情報の周波数領域リソースを占用する
ことを特徴とする請求項１に記載のシステム情報の伝送方法。
【請求項３】
前記ｋは前記ｎ以下である
ことを特徴とする請求項１または２に記載のシステム情報の伝送方法。
【請求項４】
前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる
ことを特徴とする請求項１〜３のいずれか１項に記載のシステム情報の伝送方法。
【請求項５】
前記ネットワークデバイスが前記第ｉグループのシステム情報中に含まれている指示情報を送信するステップは、
前記ネットワークデバイスが前記の指示情報と特定のシステム情報の時間領域の間隔および/または周波数領域の間隔に基づいて、前記第ｉグループのシステム情報中に含まれている指示情報を送信するステップを含む
ことを特徴とする請求項４に記載のシステム情報の伝送方法。
【請求項６】
前記特定のシステム情報は主同期信号ＰＳＳまたは副同期信号ＳＳＳを含む
ことを特徴とする請求項５に記載のシステム情報の伝送方法。
【請求項７】
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項８】
前記第ｉグループのシステム情報中のシステム情報は連続されるシステム情報の周波数領域リソースを占用する
ことを特徴とする請求項７に記載のシステム情報の伝送方法。
【請求項９】
前記ｋは前記ｎ以下である
ことを特徴とする請求項７または８に記載のシステム情報の伝送方法。
【請求項１０】
前記端末デバイスが前記時間周波数リソースでネットワークデバイスによって送信された前記ｎグループのシステム情報を受信するステップの前に、前記システム情報の伝送方法は、さらに、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ、
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む
ことを特徴とする請求項７〜９のいずれか１項に記載のシステム情報の伝送方法。
【請求項１１】
前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む
ことを特徴とする請求項１０に記載のシステム情報の伝送方法。
【請求項１２】
前記特定のシステム情報は主同期信号ＰＳＳまたは副同期信号ＳＳＳを含む
ことを特徴とする請求項１１に記載のシステム情報の伝送方法。
【請求項１３】
ネットワークデバイスがｎグループのシステム情報を伝送するのに用いられる時間周波数リソースを確定するステップと、
前記ネットワークデバイスが前記時間周波数リソースで前記ｎグループのシステム情報を送信するステップとを含み、
前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項１４】
前記システム情報の伝送方法は、
前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる
ことを特徴とする請求項１３に記載のシステム情報の伝送方法。
【請求項１５】
前記ｋは前記ｎ以下である
ことを特徴とする請求項１３または１４に記載のシステム情報の伝送方法。
【請求項１６】
前記ネットワークデバイスが前記第ｉグループのシステム情報中に含まれている指示情報を送信するステップは、
前記ネットワークデバイスが前記の指示情報と特定のシステム情報の時間領域の間隔および/または周波数領域の間隔に基づいて、前記第ｉグループのシステム情報中に含まれている指示情報を送信するステップを含む
ことを特徴とする請求項１５に記載のシステム情報の伝送方法。
【請求項１７】
前記特定のシステム情報は主同期信号ＰＳＳまたは副同期信号ＳＳＳを含む
ことを特徴とする請求項１６に記載のシステム情報の伝送方法。
【請求項１８】
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項１９】
前記ｋはｎ以下である
ことを特徴とする請求項１８に記載のシステム情報の伝送方法。
【請求項２０】
前記端末デバイスが前記時間周波数リソースでネットワークデバイスによって送信された前記ｎグループのシステム情報を受信するステップの前に、前記システム情報の伝送方法は、さらに、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ、
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む
ことを特徴とする請求項１８または１９に記載のシステム情報の伝送方法。
【請求項２１】
前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む
ことを特徴とする請求項２０に記載のシステム情報の伝送方法。
【請求項２２】
前記特定のシステム情報は主同期信号ＰＳＳまたは副同期信号ＳＳＳを含む
ことを特徴とする請求項２１に記載のシステム情報の伝送方法。
【請求項２３】
システム情報を伝送するネットワークデバイスであって、
確定モジュールと送信モジュールを含み、
前記確定モジュールはｎグループのシステム情報を送信するのに用いられる時間周波数リソースを確定するのに用いられ、
前記送信モジュールは前記確定モジュールが確定した前記時間周波数リソースで前記ｎグループのシステム情報を送信するのに用いられ、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数
ことを特徴とするネットワークデバイス。
【請求項２４】
前記第ｉグループのシステム情報中のシステム情報は連続されるシステム情報の周波数領域リソースを占用する
ことを特徴とする請求項２３に記載のネットワークデバイス。
【請求項２５】
前記ｋはｎ以下である
ことを特徴とする請求項２３または２４に記載のネットワークデバイス。
【請求項２６】
前記送信モジュールは、さらに、
前記第ｉグループのシステム情報中に含まれている指示情報を送信するステップとを含み、前記指示情報は前記ｎグループのシステム情報中の各システム情報の時間周波数リソースを指示するのに用いられる
ことを特徴とする請求項２３〜２５のいずれか１項に記載のネットワークデバイス。
【請求項２７】
前記送信モジュールは、具体的には
前記指示情報と特定のシステム情報の時間領域の間隔および/または周波数領域の間隔に基づいて、前記第ｉグループのシステム情報中に含まれている指示情報を送信するのに用いられる
ことを特徴とする請求項２６に記載のネットワークデバイス。
【請求項２８】
前記特定のシステム情報は主同期信号ＰＳＳまたは副同期信号ＳＳＳを含む
ことを特徴とする請求項２７に記載のネットワークデバイス。
【請求項２９】
システム情報を伝送する端末デバイスであって、
確定モジュールと受信モジュールを含み、
前記確定モジュールはｎグループのシステム情報を受信するのに用いられる時間周波数リソースを確定するのに用いられ、
前記受信モジュールは前記確定モジュールが確定した前記時間周波数リソースでネットワークデバイスによって送信された前記ｎグループのシステム情報を受信するのに用いられ、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とする端末のデバイス。
【請求項３０】
前記第ｉグループのシステム情報中のシステム情報は連続されるシステム情報の周波数領域リソースを占用する
ことを特徴とする請求項２９に記載の端末のデバイス。
【請求項３１】
前記ｋはｎ以下である
ことを特徴とする請求項２９または３０に記載の端末のデバイス。
【請求項３２】
前記受信モジュールは、具体的には
前記ネットワークデバイスによって送信された前記第ｉグループのシステム情報中に含まれている指示情報を受信し、
前記指示情報に基づいて前記時間周波数リソースで前記ネットワークデバイスによって送信された前記ｎグループのシステム情報を受信するのに用いられ、
前記指示情報は前記ｎグループのシステム情報中の各システム情報の時間周波数リソースを指示するのに用いられる
ことを特徴とする請求項２９〜３１のいずれか１項に記載の端末のデバイス。
【請求項３３】
前記受信モジュールは、具体的には
前記指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる
ことを特徴とする請求項３２に記載の端末のデバイス。
【請求項３４】
前記特定のシステム情報は主同期信号ＰＳＳまたは副同期信号ＳＳＳを含む
ことを特徴とする請求項３３に記載の端末のデバイス。
【請求項３５】
システム情報を伝送する端末デバイスであって、
確定モジュールと送信モジュールを含み、
前記確定モジュールはｎグループのシステム情報を送信するのに用いられる時間周波数リソースを確定するのに用いられ、
前記送信モジュールは前記確定モジュールが確定した前記時間周波数リソースで前記ｎグループのシステム情報を送信するのに用いられ、
前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とする端末のデバイス。
【請求項３６】
前記ｋはｎ以下である
ことを特徴とする請求項３５に記載の端末のデバイス。
【請求項３７】
前記送信モジュールはまた、
前記第ｉグループのシステム情報中に含まれている指示情報を送信するのに用いられ、前記指示情報は前記ｎグループのシステム情報中の各システム情報の時間周波数リソースを指示するのに用いられる
ことを特徴とする請求項３５または３６に記載の端末のデバイス。
【請求項３８】
前記送信モジュールは、具体的には
前記指示情報と特定のシステム情報の時間領域の間隔および/または周波数領域の間隔に基づいて、前記第ｉグループのシステム情報中に含まれている指示情報を送信するのに用いられる
ことを特徴とする請求項３７に記載の端末のデバイス。
【請求項３９】
前記特定のシステム情報は主同期信号ＰＳＳまたは副同期信号ＳＳＳを含む
ことを特徴とする請求項３８に記載の端末のデバイス。
【請求項４０】
システム情報を伝送する端末デバイスであって、
確定モジュールと受信モジュールを含み、
前記確定モジュールはｎグループのシステム情報を受信するのに用いられる時間周波数リソースを確定するのに用いられ、
前記受信モジュールは前記確定モジュールが確定した時間周波数リソースでネットワークデバイスによって送信された前記ｎグループのシステム情報を受信するのに用いられ、
前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とする端末のデバイス。
【請求項４１】
前記ｋはｎ以下である
ことを特徴とする請求項４０に記載の端末のデバイス。
【請求項４２】
前記受信モジュールは、具体的には
前記ネットワークデバイスによって送信された前記第ｉグループのシステム情報中に含まれている指示情報を受信し、
前記指示情報に基づいて前記時間周波数リソースで前記ネットワークデバイスによって送信された前記ｎグループのシステム情報を受信するのに用いられ、
前記指示情報は前記ｎグループのシステム情報中の各システム情報の時間周波数リソースを指示するのに用いられる
ことを特徴とする請求項４０または４１に記載の端末のデバイス。
【請求項４３】
前記受信モジュールは、具体的には
前記指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる
ことを特徴とする請求項４２に記載の端末のデバイス。
【請求項４４】
前記特定のシステム情報は主同期信号ＰＳＳまたは副同期信号ＳＳＳを含む
ことを特徴とする請求項４３に記載の端末のデバイス。
【発明の詳細な説明】
【技術分野】
【０００１】
本発明の実施例は、無線通信分野に関するものであり、より具体的には、システム情報の伝送方法、ネットワークデバイスおよび端末デバイスに関するものである。
【背景技術】
【０００２】
端末デバイスはシステムにアクセスする前に、基地局のブロードキャストメッセージからシステム情報を取得して、基地局が位置する携帯電話システムの基本的な情報、例えば、キャリアの帯域幅などを取得しなければならない。しかし、基地局がある固定周期のみでシステム情報をブロードキャストしているので、端末デバイスがシステム情報を取得する場合には、一定の遅延が発生する。現在の５G通信システムには、ニーズが異なる２種類の端末デバイスが存在して、それぞれがブロードキャストされるシステム情報に対するニーズは異なっている。その中で、１種類の端末デバイスはデータ伝送遅延の要求が高い端末デバイスであって、その端末デバイスはシステム情報を迅速に取得して、システムにアクセスする必要があり、他の１種類の端末デバイスは低コスト、低消費電力の端末デバイスであって、当該端末デバイスが復調できる帯域幅は制限されて、データの伝送遅延の要求が低く、定期的にシステム情報を取得することができる。したがって、基地局はシステム情報をブロードキャストする場合、異なるタイプの端末デバイスが取得するシステム情報に対する異なるニーズを同時に満足させなければならない。
【発明の概要】
【発明が解決しようとする課題】
【０００３】
本発明の実施例はシステム情報の伝送方法、ネットワークデバイスおよび端末デバイスを提供して、異なるタイプの端末デバイスが取得するシステム情報に対する異なるニーズを同時に満足させることができる。
【課題を解決するための手段】
【０００４】
第１の態様において、システム情報の伝送方法を提供し、当該システム情報の伝送方法は、
ネットワークデバイスがｎグループのシステム情報を伝送するのに用いられる時間周波数リソースを確定するステップと、
前記ネットワークデバイスが前記時間周波数リソースで前記ｎグループのシステム情報を送信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【０００５】
したがって、端末デバイスはシステム情報の時間領域リソースですべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０００６】
選択可能に、第ｉグループのシステム情報中のシステム情報は連続されるシステム情報の周波数領域リソースを占用する。
【０００７】
選択可能に、前記ｋは前記ｎ以下である。
【０００８】
選択可能に、前記方法は前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる。
【０００９】
選択可能に、前記ネットワークデバイスが前記第ｉグループのシステム情報中に含まれている指示情報を送信するステップは、前記ネットワークデバイスが前記指示情報と特定のシステム情報の時間領域の間隔および/または周波数領域の間隔に基づいて、前記第ｉグループのシステム情報中に含まれている指示情報を送信するステップを含む。
【００１０】
選択可能に、前記特定のシステム情報は主同期信号ＰＳＳまたは副同期信号ＳＳＳを含む。
【００１１】
また、本発明の実施例のシステム情報の時間領域リソースはネットワークデバイスによって配置されたシステム情報を送信するのに用いられる時間領域リソースであり、当該システム情報の時間領域リソースは時間領域で事前に設定した規定に基づいて配布されている時間領域リソース、例えば、図３〜図７に示すＴ１、Ｔ２、Ｔ３、Ｔ４であってもよく、ここで、Ｔ１、Ｔ２、Ｔ３、Ｔ４は連続システム情報の時間領域リソースである。本発明の実施例のシステム情報の周波数領域リソースはネットワークデバイスによって配置されたシステム情報を送信するのに用いられる周波数領域リソースであり、当該システム情報の周波数領域リソースは周波数領域で事前に設定した規定に基づいて配布されている周波数領域リソース、例えば、図３〜図７に示すＦ１、Ｆ２、Ｆ３、Ｆ４であってもよく、ここで、Ｆ１、Ｆ２、Ｆ３、Ｆ４は連続されるシステム情報の周波数領域リソースである。
【００１２】
第２の態様において、ネットワークデバイスを提供し、ネットワークデバイスは前記第１の態様及び各種実現方式のSRSを送信する方法でネットワークデバイスによって実行される各過程を実行するのに用いられることができる。ネットワークデバイスは確定モジュールと送信モジュールを含む。前記確定モジュールはｎグループのシステム情報を送信するのに用いられる時間周波数リソースを確定するのに用いられ、前記送信モジュールは前記確定モジュールが確定した前記時間周波数リソースで前記ｎグループのシステム情報を送信するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なって、第ｉグループのシステム情報はｋ個のシステム情報を含み、ここで、前記ｎは正の整数であり、前記ｋは正の整数であり、前記ｉはｎ以下の正の整数である。
【００１３】
第３の態様において、ネットワークデバイスを提供し、当該ネットワークデバイスは前記第１の態様及び各種実現方式のSRSを送信する方法でネットワークデバイスによって実行される各過程を実行するのに用いられることができる。ネットワークデバイスはプロセッサとトランシーバを含む。前記プロセッサはｎグループのシステム情報を送信するのに用いられる時間周波数リソースを確定するのに用いられ、前記トランシーバは前記確定モジュールが確定した前記時間周波数リソースで前記ｎグループのシステム情報を送信するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００１４】
第４の態様において、システム情報の伝送方法を提供し、当該システム情報の伝送方法は、
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００１５】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００１６】
選択可能に、第ｉグループのシステム情報中のシステム情報は連続されるシステム情報の周波数領域リソースを占用する。
【００１７】
選択可能に、前記ｋはｎ以下である。
【００１８】
選択可能に、前記端末デバイスが前記時間周波数リソースでネットワークデバイスによって送信された前記ｎグループのシステム情報を受信するステップの前に、前記の方法は、さらに、前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ;
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む。
【００１９】
選択可能に、前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む。
【００２０】
選択可能に、前記特定のシステム情報は主同期信号ＰＳＳまたは副同期信号ＳＳＳを含む。
【００２１】
第５の態様において、端末デバイスを提供し、当該端末デバイスは前記第４の態様および各種実現方式のシステム情報を伝送する方法で端末デバイスによって実行される各過程を実行するのに用いられることができる。当該端末デバイスは確定モジュールと受信モジュールを含む。ここで、確定モジュールはｎグループのシステム情報を受信するのに用いられる時間周波数リソースを確定するのに用いられ、受信モジュールは前記確定モジュールが確定した前記時間周波数リソースでネットワークデバイスによって送信された前記ｎグループのシステム情報を受信するのに使用され、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数ある。
【００２２】
第６の態様において、端末デバイスを提供し、当該端末デバイスは前記第４の態様および各種実現方式のシステム情報を伝送する方法で端末デバイスによって実行される各過程を実行するのに用いられることができる。当該端末デバイスはプロセッサとトランシーバを含む。ここで、前記プロセッサはｎグループのシステム情報を受信するのに用いられる時間周波数リソースを確定するのに用いられ、前記トランシーバは前記確定モジュールが確定した前記時間周波数リソースでネットワークデバイスによって送信された前記ｎグループのシステム情報を受信するのに使用され、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数ある。
【００２３】
第７の態様において、システム情報の伝送方法を提供し、当該システム情報の伝送方法は、
ネットワークデバイスがｎグループのシステム情報を伝送するのに用いられる時間周波数リソースを確定するステップと、前記ネットワークデバイスが前記時間周波数リソースで前記ｎグループのシステム情報を送信するステップとを含み、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００２４】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００２５】
選択可能に、前記方法は前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる。
【００２６】
選択可能に、前記ネットワークデバイスが前記第ｉグループのシステム情報中に含まれている指示情報を送信するステップは、前記ネットワークデバイスが前記指示情報と特定のシステム情報の時間領域の間隔および/または周波数領域の間隔に基づいて、前記第ｉグループのシステム情報中に含まれている指示情報を送信するステップを含む。
【００２７】
選択可能に、前記特定のシステム情報は主同期信号ＰＳＳまたは副同期信号ＳＳＳを含む。
【００２８】
第８の態様において、ネットワークデバイスを提供し、ネットワークデバイスは前記第７の態様および各種実現方式のSRSを送信する方法でネットワークデバイスによって実行される各過程を実行するのに用いられることができる。ネットワークデバイスは確定モジュールと送信モジュールを含む。前記確定モジュールはｎグループのシステム情報を送信するのに用いられる時間周波数リソースを確定するのに用いられ、前記送信モジュールは前記確定モジュールが確定した前記時間周波数リソースで前記ｎグループのシステム情報を送信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なって、第ｉグループのシステム情報はｋ個のシステム情報を含み、ここで、前記ｎは正の整数であり、前記ｋは正の整数であり、前記ｉはｎ以下の正の整数である。
【００２９】
第９の態様において、ネットワークデバイスを提供し、当該ネットワークデバイスは前記第７の態様および各種実現方式のSRSを送信する方法でネットワークデバイスによって実行される各過程を実行するのに用いられることができる。ネットワークデバイスはプロセッサとトランシーバを含む。前記プロセッサはｎグループのシステム情報を送信するのに用いられる時間周波数リソースを確定するのに用いられ、前記トランシーバは前記確定モジュールが確定した前記時間周波数リソースで前記ｎグループのシステム情報を送信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３０】
第１０の態様において、システム情報の伝送方法を提供し、当該システム情報の伝送方法は、
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３１】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００３２】
選択可能に、前記端末デバイスは前記時間周波数リソースでネットワークデバイスによって送信された前記ｎグループのシステム情報を受信するステップの前に、前記の方法はまた、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ;
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む。
【００３３】
選択可能に、前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む。
【００３４】
選択可能に、前記特定のシステム情報は主同期信号ＰＳＳまたは副同期信号ＳＳＳを含む。
【００３５】
第１１の態様において、端末デバイスを提供し、当該端末デバイスは前記第１０の態様および各種実現方式のシステム情報を伝送する方法で端末デバイスによって実行される各過程を実行するのに用いられることができる。当該端末デバイスは確定モジュールと受信モジュールを含む。ここで、前記確定モジュールはｎグループのシステム情報を受信するのに用いられる時間周波数リソースを確定するのに用いられ、前記受信モジュールは前記確定モジュールが確定した時間周波数リソースでネットワークデバイスによって送信された前記ｎグループのシステム情報を受信するのに用いられ、前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３６】
第１２の態様において、端末デバイスを提供し、当該端末デバイスは前記第１０の態様および各種実現方式のシステム情報を伝送する方法で端末デバイスによって実行される各過程を実行するのに用いられることができる。当該端末デバイスはプロセッサとトランシーバを含む。ここで、前記プロセッサがｎグループのシステム情報を受信するのに用いられる時間周波数リソースを確定するのに用いられ、前記トランシーバは前記確定モジュールが確定した時間周波数リソースでネットワークデバイスによって送信された前記ｎグループのシステム情報を受信するのに用いられ、前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３７】
第１３の態様において、コンピュータ読み取り可能な記憶媒体を提供し、上記コンピュータ読み取り可能な記憶媒体にはプログラムが記憶され、前記プログラムはネットワークデバイスが前記第１の態様及び各種実現可能な方法のうちのいずれのデータ伝送方法を実行するようにする。
【００３８】
第１４の態様において、コンピュータ読み取り可能な記憶媒体を提供し、上記コンピュータ読み取り可能な記憶媒体にはプログラムが記憶され、前記プログラムは端末デバイスが前記第４の態様および各種実現可能な方法のうちのいずれのデータ伝送方法を実行するようにする。
【００３９】
第１５の態様において、コンピュータ読み取り可能な記憶媒体を提供し、前記コンピュータ読み取り可能な記憶媒体にはプログラムが記憶され、上記のプログラムはネットワークデバイスが前記第７の態様および各種実現可能な方法のうちのいずれのデータ伝送方法を実行するようにする。
【００４０】
第１６の態様において、コンピュータ読み取り可能な記憶媒体を提供し、前記コンピュータ読み取り可能な記憶媒体にはプログラムが記憶され、上記のプログラムはネットワークデバイスが前記第１０の態様および各種実現可能な方法のうちのいずれのデータ伝送方法を実行するようにする。
【図面の簡単な説明】
【００４１】
本発明の実施例の技術案をより明確に説明するために、以下では本実施例の説明で使用される図面について簡単に紹介し、以下で説明する図面はただ本発明の一部の実施形態に過ぎず、当業者が創造的な労働を付与しない前提でこれらの図面に基づいて他の図面を得られることは明らかである。
【図１】図１は、本発明の実施例の応用場面の構成図である。
【図２】図２は、本発明の実施例のシステム情報の伝送方法のフローチャートである。
【図３】図３は、本発明の実施例のシステム情報を送信するのに用いられる時間周波数リソースの模式図である。
【図４】図４は、本発明の実施例のシステム情報を送信するのに用いられる時間周波数リソースの模式図である。
【図５】図５は、本発明の実施例のシステム情報を送信するのに用いられる時間周波数リソースの模式図である。
【図６】図６は、本発明の実施例のシステム情報を送信するのに用いられる時間周波数リソースの模式図である。
【図７】図７は、本発明の実施例のシステム情報を送信するのに用いられる時間周波数リソースの模式図である。
【図８】図８は、本発明の実施例のネットワークデバイスの構造ブロック図である。
【図９】図９は、本発明の実施例のネットワークデバイスの構造ブロック図である。
【図１０】図１０は、本発明の実施例のシステムチップの構成図である。
【図１１】図１１は、本発明の実施例の端末デバイスの構造ブロック図である。
【図１２】図１２は、本発明の実施例の端末デバイスの構造ブロック図である。
【図１３】図１３は、本発明の実施例のシステムチップの構成図である。
【図１４】図１４は、本発明の他の実施形態のネットワークデバイスの構造ブロック図である。
【図１５】図１５は、本発明の他の実施形態のネットワークデバイスの構造ブロック図である。
【図１６】図１６は、本発明の他の実施形態のシステムチップの構成図である。
【図１７】図１７は、本発明の他の実施形態の端末デバイスの構造ブロック図である。
【図１８】図１８は、本発明の他の実施形態の端末デバイスの構造ブロック図である。
【図１９】図１９は、本発明の他の実施形態のシステムチップの構成図である。
【発明を実施するための形態】
【００４２】
以下、本発明の実施例の図面を参照しながら、本発明の実施例の技術案に対して明確且つ完全に説明し、説明する実施例は本発明の一部の実施形態であり、すべての実施例でないことは明らかである。本発明の実施例に基づいて当業者が創造的な労働を付与しない前提で取得する他のすべての実施例は、すべて本発明の保護範囲に属する。
【００４３】
また、本発明の実施例の技術案は各種通信システム、例えば、移動通信グローバルシステム（Ｇｌｏｂａｌ  ＳｙｓＴｅｍ  ｏＦ  Ｍｏｂｉｌｅ  ＣｏｍｍｕｎｉｃａＴｉｏｎ：ＧＳＭと略称する）、シンボル分割多元接続（Ｃｏｄｅ  Ｄｉｖｉｓｉｏｎ  ＭｕｌＴｉｐｌｅ  Ａｃｃｅｓｓ：ＣＤＭＡと略称する）システム、広帯域シンボル分割多元接続（Ｗｉｄｅｂａｎｄ  Ｃｏｄｅ  Ｄｉｖｉｓｉｏｎ  ＭｕｌＴｉｐｌｅ  Ａｃｃｅｓｓ：ＷＣＤＭＡと略称する）システム、標準パケット無線サービス（Ｇｅｎｅｒａ1  ＰａｃｋｅＴ  Ｒａｄｉｏ  Ｓｅｒｖｉｃｅ：ＧＰＲＳと略称する）システム、ロングタームエボリューション（Ｌｏｎｇ  Ｔｅｒｍ  ＥｖｏｌｕＴｉｏｎ：ＬＴＥと略称する）システム、標準的な移動通信システム（ＵＭＴＳ：Ｕｎｉｖｅｒｓａｌ  Ｍｏｂｉｌｅ  ＴｅｌｅｃｏｍｍｕｎｉｃａＴｉｏｎ  ＳｙｓＴｅｍ）などの既存の通信システム、および将来５Ｇシステムに応用することができる。
【００４４】
本発明の実施例では端末デバイスをユーザーデバイス（Ｕｓｅｒ  ＥｑｕｉｐｍｅｎＴ：ＵＥと略称する）、アクセス端末、ユーザーユニット、ユーザーステーション、移動ステーション、移動局、遠隔局、遠隔端末、移動デバイス、ユーザ端末、端末、無線通信デバイス、ユーザエージェント、またはユーザ装置と呼ぶことができる。アクセス端末は、セルラー電話、無線電話、セッション確立プロトコル（Ｓｅｓｓｉｏｎ  ＩｎｉＴｉａＴｉｏｎ  ＰｒｏＴｏｃｏｌ：ＳＩＰと略称する）電話、ワイヤレスローカルループ（Ｗｉｒｅｌｅｓｓ  Ｌｏｃａｌ  Ｌｏｏｐ：ＷＬＬと略称する）ステーション、パーソナルデジタル処理（Ｐｅｒｓｏｎａｌ  ＤｉｇｉＴａｌ  ＡｓｓｉｓＴａｎＴ：ＰＤＡと略称する）、無線通信機能を備える携帯デバイス、計算デバイスまたは無線変調復調器に接続されている他の処理デバイス、自動車デバイス、ウェアラブルデバイスおよび将来５Ｇネットワークおける端末デバイスまたは将来進化型公衆移動通信網（Ｐｕｂｌｉｃ  Ｌａｎｄ  Ｍｏｂｉｌｅ  Ｎｅtｗｏｒｋ、「ＰＬＭＮ」と略称する）おける端末デバイスなどであってもよい。
【００４５】
本発明の実施例における端末デバイスは端末デバイスと通信するデバイスであってもよく、当該ネットワークデバイスはＧＳＭまたはＣＤＭＡにおける基地局（Ｂａｓｅ  Ｔｒａｎｓｃｅｉｖｅｒ  ＳＴａＴｉｏｎ：ＢＴＳと略称する）であってもよく、ＷＣＤＭＡシステムにおける基地局（ＮｏｄｅＢ：ＮＢと略称する）であってもよく、ＬＴＥシステムにおける進化型基地局（ＥｖｏｌｕＴｉｏｎａｌ  ＮｏｄｅＢ：ｅＮＢまたはｅＮｏｄｅＢと略称する）であってもよく、クラウド無線アクセスネットワーク（Ｃｌｏｕｄ  Ｒａｄｉｏ  Ａｃｃｅｓｓ  Ｎｅtｗｏｒｋ、「ＣＲＡＮ」略称する）場面における無線コントローラであってもよく、または当該ネットワークデバイスは中継局、アクセスポイント、自動車デバイス、ウェアラブルデバイスおよび将来５Ｇ通信ネットワークにおけるネットワークデバイスまたは将来の進化形ＰＬＭＮネットワークおけるにおけるネットワークデバイスなどであってもよい。
【００４６】
図１は、本発明の実施例の応用場面の構成図である。図１で示す通信システムの基本的なネットワーク構成はネットワークデバイス例えばｅＮｏｄｅＢ１０、１つ以上の端末デバイス例えばＵＥ２０とＵＥ３０を含んでもよい。図３で示すように、ｅＮｏｄｅＢ１０はＵＥ２０とＵＥ３０に通信サービスを提供し、またコアネットワークにアクセスするのに用いられ、ＵＥ２０とＵＥ３０はｅＮｏｄｅＢ１０によって送信された同期信号、ブロードキャスト信号などを検索してネットワークにアクセスすることで、ネットワークと通信を行う。ここで、当該通信システムの少なくとも一つの端末デバイスはネットワークデバイスによって送信されたシステム情報を取得する場合、取得するシステム情報について異なるニーズがあってもよく、例えばＵＥ２０はデータの伝送遅延の要求が高い端末デバイスであってもよく、ＵＥ２０はシステム情報を迅速に取得してシステムにアクセスする必要があり、ＵＥ３０は低コスト、低消費電力の端末デバイスであってもよく、ＵＥ３０は復調できる帯域幅が限られ、データの伝送遅延の要求が低く、定期的にシステム情報を取得することができる。本発明の実施例において、ネットワークデバイスがシステム情報をブロードキャストする場合、異なるタイプの端末デバイスが取得するシステム情報に対する異なるニーズを同時に満足させることができる。
【００４７】
本発明の実施形態のネットワークは公衆移動通信網（Ｐｕｂｌｉｃ  Ｌａｎｄ  Ｍｏｂｉｌｅ  Ｎｅtｗｏｒｋ、「ＰＬＭＮ」と略称する）またはデバイスツデバイス（Ｄｅｖｉｃｅ  Ｔｏ  Ｄｅｖｉｃｅ）、「Ｄ２Ｄ」と略称する）ネットワークまたはマシン・ツー・マシン/マン（Ｍａｃｈｉｎｅ  Ｔｏ  Ｍａｃｈｉｎｅ  /  Ｍａｎ、「Ｍ２Ｍ」と略称する）ネットワークまたは他のネットワークであってもよく、図１は、ただ本発明の実施例の応用場面の一例であって、本発明の実施例は他の場面に応用されてもよい。また、図１は、単に簡略化された模式図であって、ネットワークに他のネットワークデバイスがさらに含まれてもよく、図１に図示しない。
【００４８】
図２は、本発明の実施例の参照信号の伝送方法のフローチャートである。図２には、端末デバイスとネットワークデバイスを示し、例えば端末デバイスは図１に示すＵＥ２０またはＵＥ３０であってもよく、ネットワークデバイスは図１に示すｅＮｏｄｅＢ１０であってもよい。図２に示すように、当該参照信号の伝送方法は具体的には以下の過程を含む。
【００４９】
２１０、ネットワークデバイスがｎグループのシステム情報を伝送するのに用いられる時間周波数リソースを確定する。
【００５０】
ここで、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００５１】
選択可能に、前記ｋは前記ｎ以下である。
【００５２】
具体的には、ネットワークデバイスによって送信されたシステム情報は異なるグループに区画されてもよく、システム情報はグループを単位として二つの方式により時間領域リソースと周波数領域リソースにマッピングされる。例えば、同一の時間領域リソースでグループを単位として周波数領域において一定の順序で配列され、同一の周波数領域リソースでグループを単位として時間領域において一定の順序で配列される。
【００５３】
異なるシステム情報に対してグループ化を行う場合、ネットワークデバイスはシステム情報の用途と種類に基づいてシステム情報に対してグループ化を行うことができる。例えば、コアネットワークに関するシステム情報を１つのグループとして、隣接するセルに関するシステム情報を１つのグループとすることができる;セルの公衆物理チャンネルに関するパラメータのシステム情報を１つのグループとすることができる;デバイスの測定に使用されるパラメータのシステム情報を１つのグループとすることができる。
【００５４】
例えば、ｎ=４、k=ｎと仮定する。図３は、本発明の実施例の参照信号を伝送するのに用いられる時間周波数リソースの模式図であり、ネットワークデバイスはｎグループのシステム情報を伝送するのに用いられる時間周波数リソースを配置し、それに対応するシステム情報の周波数領域リソースはＦ１、Ｆ２、Ｆ３、Ｆ４（周波数領域でローからハイの順番で配列される）であり、システム情報の時間領域リソースはＴ１、Ｔ２、Ｔ３、Ｔ４（時間領域で小から大の順番で配列される）であり、またＦiおよびＦi+１は連続周波数領域リソースであり、ＴjとＴj+１は連続時間領域リソースである。以下では、本発明の実施中のシステムの情報を伝送するのに用いられる当該時間周波数リソースはリソースマトリックスとも呼ばれる。
【００５５】
図３に示すように、i=１である場合、時間領域で第１のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用するシステム情報の周波数領域リソースは互いに異なっている。Ｔ１で第１のグループのシステム情報を伝送する時間周波数リソースに対応するシステム情報の周波数領域リソースはＦ２であり;Ｔ２で第１のグループのシステム情報を伝送する時間周波数リソースに対応するシステム情報の周波数領域リソースはＦ３であり;Ｔ３で第１のグループのシステム情報を伝送する時間周波数リソースに対応するシステム情報の周波数領域リソースはＦ４であり;Ｔ４で第１のグループのシステム情報を伝送する時間周波数リソースに対応するシステム情報の周波数領域リソースはＦ１である。
【００５６】
i=２である場合、第２のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用するシステム情報の周波数領域リソースは互いに異なっている。Ｔ１で第２グループのシステム情報を伝送するシステム情報の周波数領域リソースはＦ３であり;Ｔ２で第２グループのシステム情報を伝送するシステム情報の周波数領域リソースはＦ４であり;Ｔ３で第２グループのシステム情報を伝送するシステム情報の周波数領域リソースはＦ１であり;Ｔ４で第２グループのシステム情報を伝送するシステム情報の周波数領域リソースはＦ２である。
【００５７】
i=３である場合、第３のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用する周波数領域リソースは互いに異なっている。Ｔ１で第３のグループのシステム情報を伝送するシステム情報の周波数領域リソースはＦ４であり;Ｔ２で第３のグループのシステム情報を伝送するシステム情報の周波数領域リソースはＦ１であり;Ｔ３で第３のグループのシステム情報を伝送するシステム情報の周波数領域リソースはＦ２であり;Ｔ４で第３のグループのシステム情報を伝送するシステム情報の周波数領域リソースはＦ３である。
【００５８】
i=４である場合、第３のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用する周波数領域リソースは互いに異なっている。Ｔ１で第３のグループのシステム情報を伝送するシステム情報の周波数領域リソースはＦ１である。Ｔ２で第３のグループのシステム情報を伝送するシステム情報の周波数領域リソースはＦ２であり;Ｔ３で第３のグループのシステム情報を伝送するシステム情報の周波数領域リソースはＦ３であり;Ｔ４で第３のグループのシステム情報を伝送するシステム情報の周波数領域リソースはＦ４である。
【００５９】
分かるように、Ｔ１、Ｔ２、Ｔ３、Ｔ４のうちのいずれのシステム情報の時間領域リソースに配布されているかを問わず、端末デバイスはすべてネットワークデバイスによって送信された４つのグループのシステム情報を受信することができ、またＦ１、Ｆ２、Ｆ３、Ｆ４のうちのいずれのシステム情報の周波数領域リソースに配布されているかを問わず、端末デバイスはすべてのネットワークデバイスによって送信された４つのグループのシステム情報を受信することができる。端末デバイスがデータの伝送遅延に対する要求が高い場合、Ｔ１、Ｔ２、Ｔ３、Ｔ４のうちのいずれの時間領域リソースですべての４つのグループのシステム情報を迅速に取得して、システムに迅速にアクセスすることができる。端末デバイスが復調できる帯域幅が制限され、データの伝送遅延の要求が低い場合、Ｆ１、Ｆ２、Ｆ３、Ｆ４のうちのいずれの周波数領域リソースでＴ１、Ｔ２、Ｔ３およびＴ４上のすべての４つのグループのシステム情報を受信することができる。
【００６０】
したがって、本発明は実施例のシステム情報の伝送方法を提供して、異なるタイプの端末デバイスが取得するシステム情報に対する異なるニーズを同時に満足させることができる。
【００６１】
また、本発明の実施例のシステム情報の時間領域リソースはネットワークデバイスによって配置されたシステム情報を伝送するのに用いられる時間領域リソースであり、当該システム情報の時間領域リソースは時間領域で事前に設定した規定に基づいて配布されている時間領域リソース、例えば、図３〜図７のようにＴ１、Ｔ２、Ｔ３、Ｔ４であってもよく、ここで、Ｔ１、Ｔ２、Ｔ３、Ｔ４は連続されるシステム情報の時間領域リソースである。本発明の実施例のシステム情報の周波数領域リソースはネットワークデバイスによって配置されたシステム情報を伝送するのに用いられる周波数領域リソースであり、当該システム情報の周波数領域リソースは周波数領域で事前に設定した規定に基づいて配布されている周波数領域リソース、例えば、図３〜図７のようにＦ１、Ｆ２、Ｆ３、Ｆ４であってもよく、ここで、Ｆ１、Ｆ２、Ｆ３、Ｆ４は連続されるシステム情報の周波数領域リソースである。
【００６２】
他の実施例として、第ｉグループのシステム情報中のシステム情報は連続されるシステム情報の周波数領域リソースを占用する。
【００６３】
具体的に、時間領域で連続して配布されている前記第ｉグループのシステム情報中の各システム情報の時間周波数リソースは周波数領域で連続して配布されている。このｎグループのシステム情報はサイクリックシフト方式により時間領域リソースと周波数領域リソースにマッピングできる。ある時間領域リソース例えばＴ１においてｎグループのシステム情報が周波数領域で一定の順序で配列されている場合、順次隣接する時間領域リソース例えばＴ２、Ｔ３、Ｔ４においてｎグループのシステム情報の周波数領域での配布は、ｎグループのシステム情報の時間領域リソースＴ１での配列順序に対してサイクリックシフトした後に取得したものである。ある周波数領域リソース例えばＦ１においてｎグループのシステム情報が周波数領域で一定の順序で配列されている場合は、順次隣接する時間領域リソース例えばＦ２、Ｆ３、Ｆ４においてｎグループのシステム情報の時間領域での配布は、ｎグループのシステム情報の周波数領域リソースＦ１での配列順序に対してサイクリックシフトした後に取得したものである。
【００６４】
例えば、図４は、本発明の実施例の参照信号を伝送するのに用いられる時間周波数リソースの模式図である。システム情報の時間領域リソースＴ１でｎグループのシステム情報に使用されるシステム情報の周波数領域リソースはそれぞれＦ２、Ｆ３、Ｆ４、Ｆ１であり;システム情報の時間領域リソースＴ２でｎグループのシステム情報に使用されるシステム情報の周波数領域リソースはそれぞれＦ３、Ｆ４、Ｆ１、Ｆ２であり;システム情報の時間領域リソースＴ３でｎグループのシステム情報に使用されるシステム情報の周波数領域リソースはそれぞれＦ４、Ｆ１、Ｆ２、Ｆ３であり;システム情報の時間領域リソースＴ４でｎグループのシステム情報に使用されるシステム情報の周波数領域リソースはそれぞれＦ１、Ｆ２、Ｆ３、Ｆ４である。
【００６５】
同様に、図４で示すように、システム情報の周波数領域リソースＦ１でｎグループのシステム情報に使用されるシステム情報の時間周波数リソースはそれぞれＴ４、Ｔ１、Ｔ２およびＴ３であり;システム情報の周波数領域リソースＦ２でｎグループのシステム情報に使用されるシステム情報の時間周波数リソースはそれぞれＴ１、Ｔ２、Ｔ３およびＴ４であり;システム情報の周波数領域リソースＦ３でｎグループのシステム情報に使用されるシステム情報の時間周波数リソースはそれぞれＴ２、Ｔ３、Ｔ４およびＴ１であり;システム情報の周波数領域リソースＦ４でｎグループのシステム情報に使用されるシステム情報の時間周波数リソースはそれぞれＴ３、Ｔ４、Ｔ１およびＴ２である。
【００６６】
このように、上記いずれのシステム情報の時間領域リソースＴ１、Ｔ２、Ｔ３またはＴ４で端末デバイスはすべてのグループのシステム情報を受信することができ、これは復調できる帯域幅が限られるが遅延要求が低い端末デバイスに適用することができる。いずれのシステム情報の周波数領域リソースＦ１、Ｆ２、Ｆ３またはＦ４で端末デバイスはすべてのグループのシステム情報を受信することができ、これはシステム情報を迅速に取得する端末デバイスに適用される。
【００６７】
また、当該実施例で図４に示すリソースマトリックス中の若干の行および/または列を任意に交換する場合、取得したリソースマトリックスは端末デバイスがいずれのシステム情報の時間領域リソースＴ１、Ｔ２、Ｔ３またはＴ４ですべてのシステム情報を受信することができ、またいずれのシステム情報の周波数領域リソースＦ１、Ｆ２、Ｆ３、またはＦ４ですべてのシステム情報を受信できるように満足させることができる。例えば、図３に示したリソースマトリックスは、図４に示したリソースマトリックスで第２列と第３列を交換して取得することができる。
【００６８】
さらに、あるシステム情報の時間領域リソースおよび/またはシステム情報の周波数領域リソースを使用できない場合、システム情報の時間領域リソースおよび/またはシステム情報の周波数領域リソースでシステム情報を伝送しなくてもよく、すなわち、上記ｋ<ｎである場合である。例えば、図５に示すように、本発明の実施例の参照信号を伝送するのに用いられる時間領域リソースの模式図で（Ｔ３、Ｆ３）、（Ｔ３、Ｆ４）、（Ｔ４、Ｆ３）、（Ｔ４、Ｆ４）この４つの時間領域リソースを使用できない場合、この４つの時間領域リソースはシステム情報を伝送するのに用いられない。しかし、端末デバイスはやはりＴ１、Ｔ２、Ｆ１とＦ２で完全なシステム情報を取得することができる。図５で示すリソースマトリックスは上記図３または図４から任意に抽出された行および/または列を組み合わせて取得したものと見ることができる。極端に、ｎグループのシステム情報を送信する時間周波数リソースは図６に示すようにＴ１とＦ２のみに配布されることができ、端末デバイスはシステム情報の時間領域リソースＴ１及びシステム情報の周波数領域リソースＦ２でネットワークデバイスによって送信されたすべての４つのグループのシステム情報を検出することができる。
【００６９】
また、（Ｔ３、Ｆ３）、（Ｔ３、Ｆ４）、（Ｔ４、Ｆ３）、（Ｔ４、Ｆ４）この４つの時間領域リソースを使用できない場合、元元この４つの時間領域リソースに配置されて送信されるシステム情報は、シンボル分割多重化（ＣＯＤＥ  ＤＩＶＩＳＩＯＮ  ＭＵＬＴＩＰＬＥＸＩＮＧ、「ＣＤＭ」と略称する）方式で他のグループに属するシステム情報と同じ時間領域リソースによって多重化される。
【００７０】
他の実施例として、当該第ｉグループのシステム情報のうちのｋ個のシステム情報の第ｍ個のシステム情報の時間周波数リソースは、当該ｋ個のシステム情報を除いた他のシステム情報の時間領域リソースと同じであり、またその第ｍ個のシステム情報のコード領域のリソースは他のシステム情報のコード領域のリソースと異なり、ｍはｋ以上の正の整数である。
【００７１】
具体的に、時間領域および/または周波数領域であるシステム情報のグループ化ではコード分割多重化方式を使用して多重化され、すなわち異なるグループに属するシステム情報は同じ時間周波数リソースを占用して伝送されるが、異なるコード領域リソースを使用して、すなわち異なるコード化方式を使用して区分する。コード分割多重は周波数領域および/または時間領域に関するものであってもいい。周波数領域で隣接する２つのシステム情報は符号分割多重方式により時間周波数リソースで伝送されることができ、時間領域で隣接する２つのシステムの情報も符号分割多重方式により時間周波数リソースで伝送されることができる。
【００７２】
例えば、図７は、本発明の実施例の参照信号を伝送するのに用いられる時間周波数リソースの模式図であり、図３に対応し、第１のグループのシステム情報と第３のグループのシステム情報はＣＤＭによって多重化でき、第２のグループのシステム情報と第４のグループのシステム情報もＣＤＭによって多重化できる。
【００７３】
分かるように、図７に示す時間周波数リソースにおいて、端末デバイスがいずれのシステム情報の時間領域リソースＴ１、Ｔ２、Ｔ３またはＴ４ですべてのグループのシステム情報を受信することができ、またいずれのシステム情報の周波数領域リソースＦ１、Ｆ２、Ｆ３、またはＦ４ですべての４つのグループのシステム情報を受信できるように満足させることができる。
【００７４】
２２０、ネットワークデバイスは当該時間周波数リソースでｎグループのシステム情報を送信する。
【００７５】
ネットワークデバイスは確定したｎグループのシステム情報を送信する時間周波数リソースでｎグループのシステム情報を送信する。また、ネットワークデバイスは一定の周期で前記当該時間周波数リソース中の各システム情報を送信する時間周波数リソースの位置に基づいて対応するシステムを送信する。つまり、ネットワークデバイスは定期的または連続的に前記実施例で説明したリソースマトリックスを送信することができる。例えば、ネットワークデバイスは定期的に図３、図４、図５、図６または図７に示すリソースマトリックスに基づいてｎグループのシステム情報を送信することができる。
【００７６】
２３０、端末デバイスがｎグループのシステム情報を受信するのに用いられる時間周波数リソースを確定する。
【００７７】
選択可能に、端末デバイスはｎグループのシステム情報を受信するのに用いられる時間周波数リソースを確定し、すなわち２３０は２３１と２３２を含んでもよい。
【００７８】
２３１、ネットワークデバイスは第ｉグループのシステム情報中に含まれている指示情報を送信する。
【００７９】
２３２、端末デバイスはネットワークデバイスによって送信された第ｉグループのシステム情報中に含まれる当該指示情報を受信する。
【００８０】
ここで、当該指示情報はｎグループのシステム情報中の各システム情報の時間周波数リソースの位置を指示するのに用いられる。
【００８１】
２４０、端末デバイスは当該時間周波数リソースでネットワークデバイスによって送信された当該ｎグループのシステム情報を受信する。
【００８２】
具体的には、端末デバイスはネットワークデバイスによって送信された第ｉグループのシステム情報中に含まれている当該指示情報を受信した後、当該指示情報に基づいて、当該ｎグループのシステム情報のうちの各システム情報を受信する時間周波数リソースの位置を確定して、ネットワークデバイスによって送信された当該ｎグループのシステム情報を受信することができる。
【００８３】
他の実施例として、２３１、ネットワークデバイスは当該指示情報と特定のシステム情報の時間領域の間隔および/または周波数領域の間隔に基づいて、前記第ｉグループのシステム情報中に含まれている指示情報を送信することができる。また、２３２、端末デバイスはその指示情報と特定のシステム情報の時間領域の間隔および/または周波数領域の間隔に基づいて、前記ネットワークデバイスによって送信された前記第ｉグループのシステム情報中に含まれている指示情報を受信することができる。
【００８４】
具体的には、端末デバイスはシステム情報を受信する場合、まずこのｎグループのシステム情報中の各システム情報に使用される時間周波数リソースすなわち当該指示情報を取得する必要がある。各時間周波数リソースとの間の配布の関係はプロトコルによって事前に規定することができる。または、ネットワークデバイスはこれらのシステム情報の配布の関係をあるグループのシステム情報の中に含ませることができる。例えば、第１のグループのシステム情報中に当該指示情報が含まれ、端末デバイスが第１のグループのシステム情報を受信した場合、端末デバイスは当該指示情報が指示するこのｎグループのシステム情報中の各システム情報に使用される時間周波数リソースの位置を取得することができる。当該第１のグループのシステム情報を伝送する時間周波数リソースはプロトコルによって規定されたものであってもよく、ある特定のシステム信号で暗示する指示関係、例えばシステムの同期信号すなわち主同期信号（Ｐｒｉｍａｒｙ  ＳｙｎｃｈｒｏｎｉｚａＴｉｏｎ  Ｓｉｇｎａｌ、「ＰＳＳ」と略す）または副同期信号（Ｓｅｃｏｎｄａｒｙ  ＳｙｎｃｈｒｏｎｉｚａＴｉｏｎ  Ｓｉｇｎａｌ、「ＳＳＳ」と略称する）によって規定された時間領域および/または周波数領域での位置関係であってもいい。例えば、端末デバイスはシステムの同期信号を検出した後、当該指示情報を受信する時間周波数リソースの位置が当該同期信号の後の固定された時間および/または周波数の位置にあることを確定することができ、端末デバイスは当該指示情報を受信した後、当該指示情報が指示する位置でｎグループのシステム情報中の各システム情報を受信する時間周波数リソースの位置、または時間周波数リソースとの間の配布の関係を検出することができる。
【００８５】
本発明の他の実施例として、２１０、ネットワークデバイスが確定したｎグループのシステム情報を伝送する時間周波数リソースで、前記ｎグループのシステム情報のうちの第ｉグループのシステム情報は周波数領域で連続されるシステム情報の時間領域リソースを占用することができ、且つ前記第ｉグループのシステム情報中のシステム情報が占用するシステム情報の時間領域リソースは互いに異なり、前記第ｉグループのシステム情報にはｋ個のシステム情報が含まれ、ここで、前記ｎは正の整数であり、前記ｋは正の整数であり、前記ｉはｎ以下の正の整数である。
【００８６】
これにより、上記端末デバイスがいずれのシステム情報の時間領域リソースにおいてすべてのグループのシステム情報を受信することができ、また端末デバイスがいずれのシステム情報の周波数領域リソースにおいてもすべてのグループのシステム情報を受信できるように満足させることができる。ｎグループのシステム情報を伝送する時間周波数リソースにおいて、各システム情報の時間領域リソースとシステム情報の周波数領域リソースの両方でｎグループのシステム情報を送信できるように満足させることができる。
【００８７】
この実施例の具体的な説明は２１０でシステム情報を伝送する時間周波数リソースの説明を参照することができ、簡潔にするために、ここで説明を省略する。
【００８８】
また、本発明の様々な実施形態において、前記各プロセスの番号の大きさは実行順序の前後を意味するものではなく、各プロセスの実行順序はその機能や内的論理によって確定され、本発明の実施例の実行プロセスを限定しない。
【００８９】
以上では、本発明の実施例のデータ伝送の方法を説明し、以下では、本発明の実施例のネットワークデバイスと端末デバイスを説明する。また、本発明の実施例のネットワークデバイスと端末デバイスは上記本発明の実施例の様々な方法を実行することができ、すなわち以下の各種デバイスの具体的な動作過程は上記の方法の実施例に対応するプロセスを参照することができる。
【００９０】
図８は、本発明の実施形態のネットワークデバイス８００のブロック図である。図８に示すように、当該ネットワークデバイス８００は確定モジュール８０１と送信モジュール８０２を含む。
【００９１】
確定モジュール８０１はｎグループのシステム情報を伝送するのに用いられる時間周波数リソースを確定し、前記ｎグループのシステム情報のうちの第ｉグループのシステム情報は時間領域で連続されるシステム情報の時間領域リソースを占用し、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
送信モジュール８０２は前記確定モジュール８０１が確定した前記時間周波数リソースで上記ｎグループのシステム情報を送信するのに用いられる。
【００９２】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００９３】
選択可能に、第ｉグループのシステム情報中のシステム情報は連続されるシステム情報の周波数領域リソースを占用する。
【００９４】
選択可能に、前記送信モジュール８０２はまた前記第ｉグループのシステム情報中に含まれている指示情報を送信するのに用いられ、前記指示情報は前記ｎグループのシステム情報中の各システム情報の時間周波数リソースを指示するのに用いられる。
【００９５】
選択可能に、前記送信モジュール８０２は具体的に上記の指示情報と特定のシステム情報の時間領域の間隔および/または周波数領域の間隔に基づいて、前記第ｉグループのシステム情報中に含まれている指示情報を送信するのに用いられる。
【００９６】
選択可能に、前記特定のシステム情報は主同期信号ＰＳＳまたは副同期信号ＳＳＳを含む。
【００９７】
また、本発明の実施例で、確定モジュール８０１はプロセッサによって実現することができ、送信モジュール８０２はトランシーバによって実現されてもいい。図８に示すように、ネットワークデバイス９００はプロセッサ９１０、トランシーバ９２０とメモリ９３０を含んでもいい。ここで、トランシーバ９２０は受信機９２１と送信機９２２を含んでもよく、メモリ９３０は基本パラメータおよびフィルタリング方式などの関連する情報を記憶するのに用いられ、またプロセッサ９１０によって実行されるコードなどを記憶するのに用いられる。ネットワークデバイス９００中の各コンポーネントはバスシステム９４０によって接続され、ここで、バスシステム９４０はデータバスに加えて、電源バス、制御バスおよびステータス信号バスを含む。
【００９８】
選択可能に、第ｉグループのシステム情報中のシステム情報は連続されるシステム情報の周波数領域リソースを占用する。
【００９９】
選択可能に、前記トランシーバ９２０はまた前記第ｉグループのシステム情報中に含まれている指示情報を送信するのに用いられ、上記の指示情報は上記ｎグループのシステム情報中の各システム情報の時間周波数リソースを指示するのに用いられる。
【０１００】
選択可能に、前記トランシーバ９２０は具体的に上記の指示情報と特定のシステム情報の時間領域の間隔および/または周波数領域の間隔に基づいて、前記第ｉグループのシステム情報中に含まれている指示情報を送信するのに用いられる。
【０１０１】
選択可能に、前記特定のシステム情報は主同期信号ＰＳＳまたは副同期信号ＳＳＳを含む。
【０１０２】
図１０は、本発明の実施例のシステムチップの構成図である。図１０のシステムチップ１０００は入力インターフェイス１００１、出力インターフェース１００２、１つ以上のプロセッサ１００３、メモリ１００４を含み、前記入力インタフェース１００１、出力インターフェース１００２、上記プロセッサ１００３とメモリ１００４との間はバス１００５によって接続され、前記プロセッサ１００３は上記メモリ１００４中のコードを実行するのに用いられ、前記のコードが実行される場合、上記プロセッサ１００３は図２〜図７のネットワークデバイスによって実行される方法を実現する。
【０１０３】
図８のネットワークデバイス８００または図９のネットワークデバイス９００または図１０のシステムチップ１０００は、上記図２〜図７の方法の実施例でネットワークデバイスによって実現される各プロセスを実現でき、重複するのを避けて、ここでは説明を省略する。
【０１０４】
図１１は、本発明の実施形態の端末デバイス１１００のブロック図である。図１１に示すように、当該端末デバイス１１００は確定モジュール１１０１と受信モジュール１１０２を含む。
【０１０５】
確定モジュール１１０１はｎグループのシステム情報を受信するのに用いられる時間周波数リソースを確定するのに用いられ、前記ｎグループのシステム情報のうちの第ｉグループのシステム情報は時間領域で連続されるシステム情報の時間領域リソースを占用し、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
受信モジュール１１０２は上記確定モジュール１１０１が確定した前記時間周波数リソースでネットワークデバイスによって送信された前記ｎグループのシステム情報を受信するのに用いられる。
【０１０６】
したがって、システム情報の時間領域リソースで端末デバイスはすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０１０７】
選択可能に、第ｉグループのシステム情報中のシステム情報は連続されるシステム情報の周波数領域リソースを占用する。
【０１０８】
選択可能に、前記受信モジュール１１０２は具体的に上記ネットワークデバイスによって送信された前記第ｉグループのシステム情報中に含まれている指示情報を受信し、前記指示情報に基づいて前記時間周波数リソースで前記ネットワークデバイスによって送信された前記ｎグループのシステム情報を受信するのに用いられ、前記指示情報は前記ｎグループのシステム情報中の各システム情報の時間周波数リソースを指示するのに用いられる。
【０１０９】
選択可能に、前記受信モジュール１１０２は具体的に上記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１１０】
選択可能に、前記特定のシステム情報は主同期信号ＰＳＳまたは副同期信号ＳＳＳを含む。
【０１１１】
また、本発明の実施例で、受信モジュール１１０２はトランシーバによって実現されてもよく、確定モジュール１１０１はプロセッサによって実現されてもいい。図１２に示すように、ネットワークデバイス１２００はプロセッサ１２１０、トランシーバ１２２０およびメモリ１２３０を含んでもいい。ここで、トランシーバ１２２０は受信機１２２１と送信機１２２２を含んでもよく、メモリ１２３０は基本パラメータおよびフィルタリング方式などに関する情報を記憶してもよく、またプロセッサ１２１０によって実行されるコードなどを記憶してもいい。ネットワークデバイス１２００中の各コンポーネントはバスシステム１２４０によって接続され、ここでバスシステム１２４０はデータバスに加えて、電源バス、制御バスおよびステータス信号バスなどをさらに含む。
【０１１２】
ここで、プロセッサ１２１０はｎグループのシステム情報を受信するのに用いられる時間周波数リソースを確定するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
トランシーバ１２２０は上記プロセッサ１２１０が確定した前記時間周波数リソースでネットワークデバイスによって送信された前記ｎグループのシステム情報を受信するのに用いられる。
【０１１３】
選択可能に、第ｉグループのシステム情報中のシステム情報は連続されるシステム情報の周波数領域リソースを占用する。
【０１１４】
選択可能に、前記トランシーバ１２２０は具体的に上記ネットワークデバイスによって送信された前記第ｉグループのシステム情報中に含まれている指示情報を受信し、前記指示情報に基づいて上記時間周波数リソースで前記ネットワークデバイスによって送信された前記ｎグループのシステム情報を受信するのに用いられ、上記の指示情報は上記ｎグループのシステム情報中の各システム情報の時間領域リソースを指示するのに用いられる。
【０１１５】
選択可能に、前記トランシーバ１２２０は具体的に上記指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１１６】
選択可能に、前記特定のシステム情報は主同期信号ＰＳＳまたは副同期信号ＳＳＳを含む。
【０１１７】
図１３は、本発明の実施例のシステムチップの構成図である。図１３のシステムチップ１３００は入力インターフェイス１３０１、出力インターフェース１３０２、１つ以上のプロセッサ１３０３、メモリ１３０４を含み、前記入力インタフェース１３０１、出力インターフェース１３０２、前記プロセッサ１３０３およびメモリ１３０４との間はバス１３０５によって接続され、前記プロセッサ１３０３は前記メモリ１３０４中のコードを実行し、前記コードが実行される場合、前記プロセッサ１３０３は図２〜図７の端末デバイスによって実行される方法を実現する。
【０１１８】
図１１に示めす端末デバイス１１００または図１２に示めす端末デバイス１２００または図１３に示めすシステムチップ１３００は、前記図２〜図７の方法の実施例で端末デバイスによって実現される各プロセスを実現でき、重複するのを避けて、ここでの説明を省略する。
【０１１９】
図１４は、本発明の実施形態のネットワークデバイス１４００のブロック図である。図１４に示すように、ネットワークデバイス１４００は確定モジュール１４０１と送信モジュール１４０２を含む。
【０１２０】
確定モジュール１４０１はｎグループのシステム情報を送信するのに用いられる時間周波数リソースを確定するのに用いられ、前記ｎグループのシステム情報のうちの第ｉグループのシステム情報は周波数領域で連続されるシステム情報の周波数領域リソースを占用し、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
送信モジュール１４０２は上記確定モジュール１４０１が確定した前記時間周波数リソースで上記ｎグループのシステム情報を送信するのに用いられる。
【０１２１】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０１２２】
選択可能に、前記送信モジュール１４０２はまた、
前記第ｉグループのシステム情報中に含まれている指示情報を送信するのに用いられ、上記の指示情報は上記ｎグループのシステム情報中の各システム情報の時間周波数リソースを指示するのに用いられる。
【０１２３】
選択可能に、前記送信モジュール１４０２は具体的に上記の指示情報と特定のシステム情報の時間領域の間隔および/または周波数領域の間隔に基づいて、前記第ｉグループのシステム情報中に含まれている指示情報を送信するのに用いられる。
【０１２４】
選択可能に、前記特定のシステム情報は主同期信号ＰＳＳまたは副同期信号ＳＳＳを含む。
【０１２５】
また、本発明の実施例で、送信モジュール１４０２はトランシーバによって実現されてもよく、確定モジュール１４０１はプロセッサによって実現されてもいい。図１５に示すように、ネットワークデバイス１５００はプロセッサ１５１０、トランシーバ１５２０およびメモリ１５３０を含んでもよい。ここで、トランシーバ１５２０は受信機１５２１と送信機１５２２を含んでもよく、メモリ１５３０は基本パラメータおよびフィルタリング方式などに関する情報を記憶するのに用いられ、またプロセッサ１５１０によって実行されるコードなどを記憶するのに用いられてもいい。ネットワークデバイス１５００中の各コンポーネントはバスシステム１５４０によって接続され、ここで、バスシステム１５４０はデータバスに加えて、電源バス、制御バス、およびステータス信号バスなどをさらに含む。
【０１２６】
図１６は、本発明の実施例のシステムチップの構成図である。図１６のシステムチップ１６００は入力インターフェイス１６０１、出力インターフェース１６０２、１つ以上のプロセッサ１６０３、メモリ１６０４を含んでいる、前記入力インタフェース１６０１、出力インターフェース１６０２、前記プロセッサ１６０３およびメモリ１６０４との間はバス１６０５によって接続され、前記プロセッサ１６０３は上記メモリ１６０４中のコードを実行するのに用いられ、前記のコードが実行される場合、上記プロセッサ１６０３は図２〜図７のネットワークデバイスによって実行される方法を実現する。
【０１２７】
図１４に示めすネットワークデバイス１４００または図１５に示めすネットワークデバイス１５００または図１６に示めすシステムチップ１６００は、上記図２〜図７の方法の実施例でネットワークデバイスによって実現される各過程を実現することができて、重複するのを避けて、ここでの説明を省略する。
【０１２８】
図１７は、本発明の実施形態の端末デバイス１７００のブロック図である。図１７のように、当該端末デバイス１７００は確定モジュール１７０１と受信モジュール１７０２を含む。
【０１２９】
ここで、確定モジュール１７０１はｎグループのシステム情報を受信するのに用いられる時間周波数リソースを確定するのに用いられ、前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
受信モジュール１７０２は前記確定モジュール１７０１が確定した時間周波数リソースでネットワークデバイスによって送信された前記ｎグループのシステム情報を受信するのに用いられる。
【０１３０】
選択可能に、前記受信モジュール１７０２は具体的に、前記ネットワークデバイスによって送信された前記第ｉグループのシステム情報中に含まれている指示情報を受信し、前記指示情報に基づいて上記時間周波数リソースで前記ネットワークデバイスによって送信された前記ｎグループのシステム情報を受信するのに用いられ、前記の指示情報は前記ｎグループのシステム情報中の各システム情報の時間周波数リソースを指示するのに用いられる。
【０１３１】
選択可能に、前記受信モジュール１７０２は具体的に、前記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１３２】
選択可能に、前記特定のシステム情報は主同期信号ＰＳＳまたは副同期信号ＳＳＳを含む。
【０１３３】
また、本発明の実施例で受信モジュール１７０２はトランシーバによって実現されてもよく、確定モジュール１７０１はプロセッサによって実現されてもいい。図１８に示すように、ネットワークデバイス１８００はプロセッサ１８１０、トランシーバ１８２０およびメモリ１８３０を含んでもよい。ここで、トランシーバ１８２０は受信機１８２１と送信機１８２２を含んでもよく、メモリ１８３０は基本パラメータおよびフィルタリング方式などの関する情報を記憶してもよく、またプロセッサ１８１０に実行されるコードなどを記憶してもいい。ネットワークデバイス１８００中の各コンポーネントはバスシステム１８４０によって接続され、ここで、バスシステム１８４０はデータバスに加えて、電源バス、制御バス、およびステータス信号バスなどをさらに含む。
【０１３４】
ここで、プロセッサ１８１０はｎグループのシステム情報を受信するのに用いられる時間周波数リソースを確定するのに用いられ、前記ｎグループのシステム情報のうちの第ｉグループのシステム情報は時間領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
トランシーバ１８２０は前記確定モジュール１６０１が確定した時間周波数リソースでネットワークデバイスによって送信された前記ｎグループのシステム情報を受信するのに用いられる。
【０１３５】
選択可能に、前記トランシーバ１８２０具体的に、前記ネットワークデバイスによって送信された前記第ｉグループのシステム情報中に含まれている指示情報を受信し、前記指示情報に基づいて前記時間周波数リソースで前記ネットワークデバイスによって送信された前記ｎグループのシステム情報を受信するのに用いられ、上記の指示情報は上記ｎグループのシステム情報中の各システム情報の時間周波数リソースを指示するのに用いられる。
【０１３６】
選択可能に、前記トランシーバ１８２０具体的に、上記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１３７】
選択可能に、前記特定のシステム情報は主同期信号ＰＳＳまたは副同期信号ＳＳＳを含む。
【０１３８】
図１９は、本発明の実施例のシステムチップの構成図である。図１９のシステムチップ１９００は入力インターフェイス１９０１、出力インターフェース１９０２、１つ以上のプロセッサ１９０３、メモリ１９０４を含み、前記入力インタフェース１９０１、出力インターフェース１９０２、上記プロセッサ１９０３およびメモリ１９０４との間はバス１９０５によって接続され、前記プロセッサ１９０３は上記メモリ１９０４中のコードを実行し、前記コードが実行される場合、上記プロセッサ１９０３は図２〜図７の端末デバイスによって実行される方法を実現する。
【０１３９】
図１７に示めすネットワークデバイス１７００または図１８に示めすネットワークデバイス１８００または図１９に示めすシステムチップ１９００は、上記図２〜図７の方法の実施例で端末デバイスによって実現される各過程を実現することができて、重複するのを避けて、ここでの説明を省略する。
【０１４０】
また、本発明の実施例におけるプロセッサは集積回路チップであってもよく、信号処理能力を備えている。実現過程において、上記方法の実施例における各ステップは、プロセッサにおけるハードウェアの集積論理回路又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場プログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。本発明の実施例における開示された各方法、ステップ及び論理ブロック図を実現、又は実行することができる。汎用プロセッサはマイクロプロセッサであっても良く、又は該プロセッサはいずれの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されてもいい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完成する。
【０１４１】
本発明の実施例におけるメモリは揮発性記憶装置又は不揮発性記憶装置であっても良く、又は揮発性記憶装置及び不揮発性記憶装置の両者を含むことができると理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１４２】
また、本明細書に記載される「システム」及び「ネットワーク」という単語は交換可能に使用される。本明細書に記載される「及び／又は」は関連対象の関連関係を説明するものだけであり、以下の３つの関係を示す。例えば、Ａ及び／又はＢは、Ａが単独で存在すること、ＡとＢが同時に存在すること、及びＢが単独で存在することそれぞれ示す。また、本明細書に記載される「／」は、通常前後の関連対象の「又は」の関係を示す。
【０１４３】
なお、本発明の実施例において、「Ａに対応するＢ」は、ＢがＡに関連し、ＡによってＢを確定することを示す。ただし、ＡによってＢを確定することは、ＡのみによってＢを確定することを意味するのではなく、Ａ及び／又は他の情報によってＢを確定してもよい。
【０１４４】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約により決められる。当業者は、各特定応用に応じて異なる方法を用いて、説明されている機能を実現することができるが、このような実現は本発明の範囲を超えていると見なすべきではない。
【０１４５】
説明上の利便性と簡潔を考慮して、上記に記載されているシステム、装置、およびユニットの具体的な動作過程については、上記方法の実施例に対応する過程を参照することができると、当業者であれば理解でき、ここで説明を省略する。
【０１４６】
本願に提供されている幾つかの実施例において、開示されているシステム、装置及び方法は、その他の方式によって実現されても良い。例えば、上記に記載されている装置の実施例は単なる例示的なものに過ぎず、例えば、前記ユニットの区画が、単なるロジック機能の区画であり、実際、実現する時に他の区画があっても良く、例えば、複数のユニット又はコンポーネントを別のシステムに統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１４７】
上記で分離コンポーネントとして説明したユニットは、物理的に分離されるものであっても良く、そうでないものであっても良い。ユニットとして示されるコンポーネントは物理ユニットであっても良く、そうでないものであっても良い。一箇所に配置されても良く、複数のネットワークユニットに配布しても良い。実際のニーズに応じて、その中の一部又は全部のユニットを選択して本実施例の技術案の目的を実現しても良い。
【０１４８】
また、本発明の各実施例における各機能ユニットは、一つの処理ユニットに統合しても良く、各ユニットはそれぞれ単独なユニットとしても良く、二つ又は二つ以上のユニットを一つのユニットに集成しても良い。
【０１４９】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分または当該技術案の部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１５０】
上記に記載されているのは、単なる本発明の具体的な実施形態に過ぎず、本発明は保護範囲はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019531648.tif 000003
【図２】
2019531648.tif 000004
【図３】
2019531648.tif 000005
【図４】
2019531648.tif 000006
【図５】
2019531648.tif 000007
【図６】
2019531648.tif 000008
【図７】
2019531648.tif 000009
【図８】
2019531648.tif 000010
【図９】
2019531648.tif 000011
【図１０】
2019531648.tif 000012
【図１１】
2019531648.tif 000013
【図１２】
2019531648.tif 000014
【図１３】
2019531648.tif 000015
【図１４】
2019531648.tif 000016
【図１５】
2019531648.tif 000017
【図１６】
2019531648.tif 000018
【図１７】
2019531648.tif 000019
【図１８】
2019531648.tif 000020
【図１９】
2019531648.tif 000021
【手続補正書】
【提出日】令和1年9月19日(2019.9.19)
【手続補正１】
【補正対象書類名】明細書
【補正対象項目名】全文
【補正方法】変更
【補正の内容】
【発明の詳細な説明】
【技術分野】
【０００１】
本発明の実施例は、無線通信分野に関するものであり、より具体的には、システム情報の伝送方法、ネットワークデバイスおよび端末デバイスに関するものである。
【背景技術】
【０００２】
端末デバイスはシステムにアクセスする前に、基地局のブロードキャストメッセージからシステム情報を取得して、基地局が位置する携帯電話システムの基本的な情報、例えば、キャリアの帯域幅などを取得しなければならない。しかし、基地局がある固定周期のみでシステム情報をブロードキャストしているので、端末デバイスがシステム情報を取得する場合には、一定の遅延が発生する。現在の５G通信システムには、ニーズが異なる２種類の端末デバイスが存在して、それぞれがブロードキャストされるシステム情報に対するニーズは異なっている。その中で、１種類の端末デバイスはデータ伝送遅延の要求が高い端末デバイスであって、その端末デバイスはシステム情報を迅速に取得して、システムにアクセスする必要があり、他の１種類の端末デバイスは低コスト、低消費電力の端末デバイスであって、当該端末デバイスが復調できる帯域幅は制限されて、データの伝送遅延の要求が低く、定期的にシステム情報を取得することができる。
【０００３】
なお、上記の背景技術に開示される情報は、本開示の背景の理解を容易にするためのものであるため、当業者に開示しない従来技術を構成しない情報が含まれることができる。
【発明の概要】
【発明が解決しようとする課題】
【０００４】
本発明の実施例はシステム情報の伝送方法、ネットワークデバイスおよび端末デバイスを提供して、異なるタイプの端末デバイスが取得するシステム情報に対する異なるニーズを同時に満足させることができる。
【課題を解決するための手段】
【０００５】
一態様において、システム情報の伝送方法を提供し、当該システム情報の伝送方法は、
ネットワークデバイスがｎグループのシステム情報を伝送するのに用いられる時間周波数リソースを確定するステップと、
前記ネットワークデバイスが前記時間周波数リソースで前記ｎグループのシステム情報を送信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【０００６】
したがって、端末デバイスはシステム情報の時間領域リソースですべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０００７】
選択可能に、第ｉグループのシステム情報中のシステム情報は連続されるシステム情報の周波数領域リソースを占用する。
【０００８】
選択可能に、前記ｋは前記ｎ以下である。
【０００９】
選択可能に、前記方法は前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる。
【００１０】
選択可能に、前記ネットワークデバイスが前記第ｉグループのシステム情報中に含まれている指示情報を送信するステップは、前記ネットワークデバイスが前記指示情報と特定のシステム情報の時間領域の間隔および/または周波数領域の間隔に基づいて、前記第ｉグループのシステム情報中に含まれている指示情報を送信するステップを含む。
【００１１】
選択可能に、前記特定のシステム情報は主同期信号ＰＳＳまたは副同期信号ＳＳＳを含む。
【００１２】
また、本発明の実施例のシステム情報の時間領域リソースはネットワークデバイスによって配置されたシステム情報を送信するのに用いられる時間領域リソースであり、当該システム情報の時間領域リソースは時間領域で事前に設定した規定に基づいて配布されている時間領域リソース、例えば、図３〜図７に示すＴ１、Ｔ２、Ｔ３、Ｔ４であってもよく、ここで、Ｔ１、Ｔ２、Ｔ３、Ｔ４は連続システム情報の時間領域リソースである。本発明の実施例のシステム情報の周波数領域リソースはネットワークデバイスによって配置されたシステム情報を送信するのに用いられる周波数領域リソースであり、当該システム情報の周波数領域リソースは周波数領域で事前に設定した規定に基づいて配布されている周波数領域リソース、例えば、図３〜図７に示すＦ１、Ｆ２、Ｆ３、Ｆ４であってもよく、ここで、Ｆ１、Ｆ２、Ｆ３、Ｆ４は連続されるシステム情報の周波数領域リソースである。
【００１３】
一態様において、ネットワークデバイスを提供し、ネットワークデバイスは前記一態様及び各種実現方式のSRSを送信する方法でネットワークデバイスによって実行される各過程を実行するのに用いられることができる。ネットワークデバイスは確定モジュールと送信モジュールを含む。前記確定モジュールはｎグループのシステム情報を送信するのに用いられる時間周波数リソースを確定するのに用いられ、前記送信モジュールは前記確定モジュールが確定した前記時間周波数リソースで前記ｎグループのシステム情報を送信するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なって、第ｉグループのシステム情報はｋ個のシステム情報を含み、ここで、前記ｎは正の整数であり、前記ｋは正の整数であり、前記ｉはｎ以下の正の整数である。
【００１４】
一態様において、ネットワークデバイスを提供し、当該ネットワークデバイスは前記一態様及び各種実現方式のSRSを送信する方法でネットワークデバイスによって実行される各過程を実行するのに用いられることができる。ネットワークデバイスはプロセッサとトランシーバを含む。前記プロセッサはｎグループのシステム情報を送信するのに用いられる時間周波数リソースを確定するのに用いられ、前記トランシーバは前記確定モジュールが確定した前記時間周波数リソースで前記ｎグループのシステム情報を送信するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００１５】
一態様において、システム情報の伝送方法を提供し、当該システム情報の伝送方法は、
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００１６】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００１７】
選択可能に、第ｉグループのシステム情報中のシステム情報は連続されるシステム情報の周波数領域リソースを占用する。
【００１８】
選択可能に、前記ｋはｎ以下である。
【００１９】
選択可能に、前記端末デバイスが前記時間周波数リソースでネットワークデバイスによって送信された前記ｎグループのシステム情報を受信するステップの前に、前記の方法は、さらに、前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ;
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む。
【００２０】
選択可能に、前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む。
【００２１】
選択可能に、前記特定のシステム情報は主同期信号ＰＳＳまたは副同期信号ＳＳＳを含む。
【００２２】
一態様において、端末デバイスを提供し、当該端末デバイスは前記一態様および各種実現方式のシステム情報を伝送する方法で端末デバイスによって実行される各過程を実行するのに用いられることができる。当該端末デバイスは確定モジュールと受信モジュールを含む。ここで、確定モジュールはｎグループのシステム情報を受信するのに用いられる時間周波数リソースを確定するのに用いられ、受信モジュールは前記確定モジュールが確定した前記時間周波数リソースでネットワークデバイスによって送信された前記ｎグループのシステム情報を受信するのに使用され、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数ある。
【００２３】
一態様において、端末デバイスを提供し、当該端末デバイスは前記一態様および各種実現方式のシステム情報を伝送する方法で端末デバイスによって実行される各過程を実行するのに用いられることができる。当該端末デバイスはプロセッサとトランシーバを含む。ここで、前記プロセッサはｎグループのシステム情報を受信するのに用いられる時間周波数リソースを確定するのに用いられ、前記トランシーバは前記確定モジュールが確定した前記時間周波数リソースでネットワークデバイスによって送信された前記ｎグループのシステム情報を受信するのに使用され、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数ある。
【００２４】
一態様において、システム情報の伝送方法を提供し、当該システム情報の伝送方法は、
ネットワークデバイスがｎグループのシステム情報を伝送するのに用いられる時間周波数リソースを確定するステップと、前記ネットワークデバイスが前記時間周波数リソースで前記ｎグループのシステム情報を送信するステップとを含み、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００２５】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００２６】
選択可能に、前記方法は前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる。
【００２７】
選択可能に、前記ネットワークデバイスが前記第ｉグループのシステム情報中に含まれている指示情報を送信するステップは、前記ネットワークデバイスが前記指示情報と特定のシステム情報の時間領域の間隔および/または周波数領域の間隔に基づいて、前記第ｉグループのシステム情報中に含まれている指示情報を送信するステップを含む。
【００２８】
選択可能に、前記特定のシステム情報は主同期信号ＰＳＳまたは副同期信号ＳＳＳを含む。
【００２９】
一態様において、ネットワークデバイスを提供し、ネットワークデバイスは前記一態様および各種実現方式のSRSを送信する方法でネットワークデバイスによって実行される各過程を実行するのに用いられることができる。ネットワークデバイスは確定モジュールと送信モジュールを含む。前記確定モジュールはｎグループのシステム情報を送信するのに用いられる時間周波数リソースを確定するのに用いられ、前記送信モジュールは前記確定モジュールが確定した前記時間周波数リソースで前記ｎグループのシステム情報を送信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なって、第ｉグループのシステム情報はｋ個のシステム情報を含み、ここで、前記ｎは正の整数であり、前記ｋは正の整数であり、前記ｉはｎ以下の正の整数である。
【００３０】
一態様において、ネットワークデバイスを提供し、当該ネットワークデバイスは前記一態様および各種実現方式のSRSを送信する方法でネットワークデバイスによって実行される各過程を実行するのに用いられることができる。ネットワークデバイスはプロセッサとトランシーバを含む。前記プロセッサはｎグループのシステム情報を送信するのに用いられる時間周波数リソースを確定するのに用いられ、前記トランシーバは前記確定モジュールが確定した前記時間周波数リソースで前記ｎグループのシステム情報を送信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３１】
一態様において、システム情報の伝送方法を提供し、当該システム情報の伝送方法は、
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３２】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００３３】
選択可能に、前記端末デバイスは前記時間周波数リソースでネットワークデバイスによって送信された前記ｎグループのシステム情報を受信するステップの前に、前記の方法はまた、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ;
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む。
【００３４】
選択可能に、前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および/または周波数領域の間隔に基づいて、前記ネットワークデバイスによって送信された前記第ｉグループのシステム情報中に含まれている指示情報を受信するステップを含む。
【００３５】
選択可能に、前記特定のシステム情報は主同期信号ＰＳＳまたは副同期信号ＳＳＳを含む。
【００３６】
一態様において、端末デバイスを提供し、当該端末デバイスは前記一態様および各種実現方式のシステム情報を伝送する方法で端末デバイスによって実行される各過程を実行するのに用いられることができる。当該端末デバイスは確定モジュールと受信モジュールを含む。ここで、前記確定モジュールはｎグループのシステム情報を受信するのに用いられる時間周波数リソースを確定するのに用いられ、前記受信モジュールは前記確定モジュールが確定した時間周波数リソースでネットワークデバイスによって送信された前記ｎグループのシステム情報を受信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３７】
一態様において、端末デバイスを提供し、当該端末デバイスは前記一態様および各種実現方式のシステム情報を伝送する方法で端末デバイスによって実行される各過程を実行するのに用いられることができる。当該端末デバイスはプロセッサとトランシーバを含む。ここで、前記プロセッサがｎグループのシステム情報を受信するのに用いられる時間周波数リソースを確定するのに用いられ、前記トランシーバは前記確定モジュールが確定した時間周波数リソースでネットワークデバイスによって送信された前記ｎグループのシステム情報を受信するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００３８】
一態様において、コンピュータ読み取り可能な記憶媒体を提供し、上記コンピュータ読み取り可能な記憶媒体にはプログラムが記憶され、前記プログラムはネットワークデバイスが前記態様及び各種実現可能な方法のうちのいずれのデータ伝送方法を実行するようにする。
【００３９】
一態様において、コンピュータ読み取り可能な記憶媒体を提供し、上記コンピュータ読み取り可能な記憶媒体にはプログラムが記憶され、前記プログラムは端末デバイスが前記態様および各種実現可能な方法のうちのいずれのデータ伝送方法を実行するようにする。
【００４０】
一態様において、コンピュータ読み取り可能な記憶媒体を提供し、前記コンピュータ読み取り可能な記憶媒体にはプログラムが記憶され、上記のプログラムはネットワークデバイスが前記態様および各種実現可能な方法のうちのいずれのデータ伝送方法を実行するようにする。
【００４１】
一態様において、コンピュータ読み取り可能な記憶媒体を提供し、前記コンピュータ読み取り可能な記憶媒体にはプログラムが記憶され、上記のプログラムはネットワークデバイスが前記態様および各種実現可能な方法のうちのいずれのデータ伝送方法を実行するようにする。
【００４２】
一態様において、コンピュータプログラムを提供し、プロセッサが前記コンピュータプログラムを実行する場合、端末デバイスが上記の態様及びその実現方式に基づいてシステム情報の伝送方法を実行する。
当該プログラムは、任意のプログラミング言語を使用することができ、また、ソースコード、オブジェクトコード、ソースコードとオブジェクトコードとの中間コードの方式、例えば、部分コンパイルの方式、及び他の任意の方式を使用することができる。
本願の他の特徴や利点は、以下の説明により明らかになり、又は、一部が本願の実施して得られる。
なお、以上の記載や以下の記載は、例示や解釈的なものであるが、本開示を限定するものではない。
【図面の簡単な説明】
【００４３】
本発明の実施例の技術案をより明確に説明するために、以下では本実施例の説明で使用される図面について簡単に紹介し、以下で説明する図面はただ本発明の一部の実施形態に過ぎず、当業者が創造的な労働を付与しない前提でこれらの図面に基づいて他の図面を得られることは明らかである。
【図１】図１は、本発明の実施例の応用場面の構成図である。
【図２】図２は、本発明の実施例のシステム情報の伝送方法のフローチャートである。
【図３】図３は、本発明の実施例のシステム情報を送信するのに用いられる時間周波数リソースの模式図である。
【図４】図４は、本発明の実施例のシステム情報を送信するのに用いられる時間周波数リソースの模式図である。
【図５】図５は、本発明の実施例のシステム情報を送信するのに用いられる時間周波数リソースの模式図である。
【図６】図６は、本発明の実施例のシステム情報を送信するのに用いられる時間周波数リソースの模式図である。
【図７】図７は、本発明の実施例のシステム情報を送信するのに用いられる時間周波数リソースの模式図である。
【図８】図８は、本発明の実施例のネットワークデバイスの構造ブロック図である。
【図９】図９は、本発明の実施例のネットワークデバイスの構造ブロック図である。
【図１０】図１０は、本発明の実施例のシステムチップの構成図である。
【図１１】図１１は、本発明の実施例の端末デバイスの構造ブロック図である。
【図１２】図１２は、本発明の実施例の端末デバイスの構造ブロック図である。
【図１３】図１３は、本発明の実施例のシステムチップの構成図である。
【図１４】図１４は、本発明の他の実施形態のネットワークデバイスの構造ブロック図である。
【図１５】図１５は、本発明の他の実施形態のネットワークデバイスの構造ブロック図である。
【図１６】図１６は、本発明の他の実施形態のシステムチップの構成図である。
【図１７】図１７は、本発明の他の実施形態の端末デバイスの構造ブロック図である。
【図１８】図１８は、本発明の他の実施形態の端末デバイスの構造ブロック図である。
【図１９】図１９は、本発明の他の実施形態のシステムチップの構成図である。
【発明を実施するための形態】
【００４４】
以下、本発明の実施例の図面を参照しながら、本発明の実施例の技術案に対して明確且つ完全に説明し、説明する実施例は本発明の一部の実施形態であり、すべての実施例でないことは明らかである。本発明の実施例に基づいて当業者が創造的な労働を付与しない前提で取得する他のすべての実施例は、すべて本発明の保護範囲に属する。
【００４５】
また、本発明の実施例の技術案は各種通信システム、例えば、移動通信グローバルシステム（Ｇｌｏｂａｌ ＳｙｓＴｅｍ ｏＦ Ｍｏｂｉｌｅ ＣｏｍｍｕｎｉｃａＴｉｏｎ：ＧＳＭと略称する）、シンボル分割多元接続（Ｃｏｄｅ Ｄｉｖｉｓｉｏｎ ＭｕｌＴｉｐｌｅ Ａｃｃｅｓｓ：ＣＤＭＡと略称する）システム、広帯域シンボル分割多元接続（Ｗｉｄｅｂａｎｄ Ｃｏｄｅ Ｄｉｖｉｓｉｏｎ ＭｕｌＴｉｐｌｅ Ａｃｃｅｓｓ：ＷＣＤＭＡと略称する）システム、標準パケット無線サービス（Ｇｅｎｅｒａ1 ＰａｃｋｅＴ Ｒａｄｉｏ Ｓｅｒｖｉｃｅ：ＧＰＲＳと略称する）システム、ロングタームエボリューション（Ｌｏｎｇ Ｔｅｒｍ ＥｖｏｌｕＴｉｏｎ：ＬＴＥと略称する）システム、標準的な移動通信システム（ＵＭＴＳ：Ｕｎｉｖｅｒｓａｌ Ｍｏｂｉｌｅ ＴｅｌｅｃｏｍｍｕｎｉｃａＴｉｏｎ ＳｙｓＴｅｍ）などの既存の通信システム、および将来５Ｇシステムに応用することができる。
【００４６】
本発明の実施例では端末デバイスをユーザーデバイス（Ｕｓｅｒ ＥｑｕｉｐｍｅｎＴ：ＵＥと略称する）、アクセス端末、ユーザーユニット、ユーザーステーション、移動ステーション、移動局、遠隔局、遠隔端末、移動デバイス、ユーザ端末、端末、無線通信デバイス、ユーザエージェント、またはユーザ装置と呼ぶことができる。アクセス端末は、セルラー電話、無線電話、セッション確立プロトコル（Ｓｅｓｓｉｏｎ ＩｎｉＴｉａＴｉｏｎ ＰｒｏＴｏｃｏｌ：ＳＩＰと略称する）電話、ワイヤレスローカルループ（Ｗｉｒｅｌｅｓｓ Ｌｏｃａｌ Ｌｏｏｐ：ＷＬＬと略称する）ステーション、パーソナルデジタル処理（Ｐｅｒｓｏｎａｌ ＤｉｇｉＴａｌ ＡｓｓｉｓＴａｎＴ：ＰＤＡと略称する）、無線通信機能を備える携帯デバイス、計算デバイスまたは無線変調復調器に接続されている他の処理デバイス、自動車デバイス、ウェアラブルデバイスおよび将来５Ｇネットワークおける端末デバイスまたは将来進化型公衆移動通信網（Ｐｕｂｌｉｃ Ｌａｎｄ Ｍｏｂｉｌｅ Ｎｅtｗｏｒｋ、「ＰＬＭＮ」と略称する）おける端末デバイスなどであってもよい。
【００４７】
本発明の実施例における端末デバイスは端末デバイスと通信するデバイスであってもよく、当該ネットワークデバイスはＧＳＭまたはＣＤＭＡにおける基地局（Ｂａｓｅ Ｔｒａｎｓｃｅｉｖｅｒ ＳＴａＴｉｏｎ：ＢＴＳと略称する）であってもよく、ＷＣＤＭＡシステムにおける基地局（ＮｏｄｅＢ：ＮＢと略称する）であってもよく、ＬＴＥシステムにおける進化型基地局（ＥｖｏｌｕＴｉｏｎａｌ ＮｏｄｅＢ：ｅＮＢまたはｅＮｏｄｅＢと略称する）であってもよく、クラウド無線アクセスネットワーク（Ｃｌｏｕｄ Ｒａｄｉｏ Ａｃｃｅｓｓ Ｎｅtｗｏｒｋ、「ＣＲＡＮ」略称する）場面における無線コントローラであってもよく、または当該ネットワークデバイスは中継局、アクセスポイント、自動車デバイス、ウェアラブルデバイスおよび将来５Ｇ通信ネットワークにおけるネットワークデバイスまたは将来の進化形ＰＬＭＮネットワークおけるにおけるネットワークデバイスなどであってもよい。
【００４８】
図１は、本発明の実施例の応用場面の構成図である。図１で示す通信システムの基本的なネットワーク構成はネットワークデバイス例えばｅＮｏｄｅＢ１０、１つ以上の端末デバイス例えばＵＥ２０とＵＥ３０を含んでもよい。図３で示すように、ｅＮｏｄｅＢ１０はＵＥ２０とＵＥ３０に通信サービスを提供し、またコアネットワークにアクセスするのに用いられ、ＵＥ２０とＵＥ３０はｅＮｏｄｅＢ１０によって送信された同期信号、ブロードキャスト信号などを検索してネットワークにアクセスすることで、ネットワークと通信を行う。ここで、当該通信システムの少なくとも一つの端末デバイスはネットワークデバイスによって送信されたシステム情報を取得する場合、取得するシステム情報について異なるニーズがあってもよく、例えばＵＥ２０はデータの伝送遅延の要求が高い端末デバイスであってもよく、ＵＥ２０はシステム情報を迅速に取得してシステムにアクセスする必要があり、ＵＥ３０は低コスト、低消費電力の端末デバイスであってもよく、ＵＥ３０は復調できる帯域幅が限られ、データの伝送遅延の要求が低く、定期的にシステム情報を取得することができる。本発明の実施例において、ネットワークデバイスがシステム情報をブロードキャストする場合、異なるタイプの端末デバイスが取得するシステム情報に対する異なるニーズを同時に満足させることができる。
【００４９】
本発明の実施形態のネットワークは公衆移動通信網（Ｐｕｂｌｉｃ Ｌａｎｄ Ｍｏｂｉｌｅ Ｎｅtｗｏｒｋ、「ＰＬＭＮ」と略称する）またはデバイスツデバイス（Ｄｅｖｉｃｅ Ｔｏ Ｄｅｖｉｃｅ）、「Ｄ２Ｄ」と略称する）ネットワークまたはマシン・ツー・マシン/マン（Ｍａｃｈｉｎｅ Ｔｏ Ｍａｃｈｉｎｅ / Ｍａｎ、「Ｍ２Ｍ」と略称する）ネットワークまたは他のネットワークであってもよく、図１は、ただ本発明の実施例の応用場面の一例であって、本発明の実施例は他の場面に応用されてもよい。また、図１は、単に簡略化された模式図であって、ネットワークに他のネットワークデバイスがさらに含まれてもよく、図１に図示しない。
【００５０】
図２は、本発明の実施例の参照信号の伝送方法のフローチャートである。図２には、端末デバイスとネットワークデバイスを示し、例えば端末デバイスは図１に示すＵＥ２０またはＵＥ３０であってもよく、ネットワークデバイスは図１に示すｅＮｏｄｅＢ１０であってもよい。図２に示すように、当該参照信号の伝送方法は具体的には以下の過程を含む。
【００５１】
２１０、ネットワークデバイスがｎグループのシステム情報を伝送するのに用いられる時間周波数リソースを確定する。
【００５２】
ここで、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である。
【００５３】
選択可能に、前記ｋは前記ｎ以下である。
【００５４】
具体的には、ネットワークデバイスによって送信されたシステム情報は異なるグループに区画されてもよく、システム情報はグループを単位として二つの方式により時間領域リソースと周波数領域リソースにマッピングされる。例えば、同一の時間領域リソースでグループを単位として周波数領域において一定の順序で配列され、同一の周波数領域リソースでグループを単位として時間領域において一定の順序で配列される。
【００５５】
異なるシステム情報に対してグループ化を行う場合、ネットワークデバイスはシステム情報の用途と種類に基づいてシステム情報に対してグループ化を行うことができる。例えば、コアネットワークに関するシステム情報を１つのグループとして、隣接するセルに関するシステム情報を１つのグループとすることができる;セルの公衆物理チャンネルに関するパラメータのシステム情報を１つのグループとすることができる;デバイスの測定に使用されるパラメータのシステム情報を１つのグループとすることができる。
【００５６】
例えば、ｎ=４、k=ｎと仮定する。図３は、本発明の実施例の参照信号を伝送するのに用いられる時間周波数リソースの模式図であり、ネットワークデバイスはｎグループのシステム情報を伝送するのに用いられる時間周波数リソースを配置し、それに対応するシステム情報の周波数領域リソースはＦ１、Ｆ２、Ｆ３、Ｆ４（周波数領域でローからハイの順番で配列される）であり、システム情報の時間領域リソースはＴ１、Ｔ２、Ｔ３、Ｔ４（時間領域で小から大の順番で配列される）であり、またＦiおよびＦi+１は連続周波数領域リソースであり、ＴjとＴj+１は連続時間領域リソースである。以下では、本発明の実施中のシステムの情報を伝送するのに用いられる当該時間周波数リソースはリソースマトリックスとも呼ばれる。
【００５７】
図３に示すように、i=１である場合、時間領域で第１のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用するシステム情報の周波数領域リソースは互いに異なっている。Ｔ１で第１のグループのシステム情報を伝送する時間周波数リソースに対応するシステム情報の周波数領域リソースはＦ２であり; Ｔ２で第１のグループのシステム情報を伝送する時間周波数リソースに対応するシステム情報の周波数領域リソースはＦ４であり; Ｔ３で第１のグループのシステム情報を伝送する時間周波数リソースに対応するシステム情報の周波数領域リソースはＦ３であり; Ｔ４で第１のグループのシステム情報を伝送する時間周波数リソースに対応するシステム情報の周波数領域リソースはＦ１である。
【００５８】
i=２である場合、第２のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用するシステム情報の周波数領域リソースは互いに異なっている。Ｔ１で第２グループのシステム情報を伝送するシステム情報の周波数領域リソースはＦ３であり;Ｔ２で第２グループのシステム情報を伝送するシステム情報の周波数領域リソースはＦ１であり;Ｔ３で第２グループのシステム情報を伝送するシステム情報の周波数領域リソースはＦ４であり;Ｔ４で第２グループのシステム情報を伝送するシステム情報の周波数領域リソースはＦ２である。
【００５９】
i=３である場合、第３のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用する周波数領域リソースは互いに異なっている。Ｔ１で第３のグループのシステム情報を伝送するシステム情報の周波数領域リソースはＦ４であり;Ｔ２で第３のグループのシステム情報を伝送するシステム情報の周波数領域リソースはＦ２であり;Ｔ３で第３のグループのシステム情報を伝送するシステム情報の周波数領域リソースはＦ１であり;Ｔ４で第３のグループのシステム情報を伝送するシステム情報の周波数領域リソースはＦ３である。
【００６０】
i=４である場合、第３のグループのシステム情報を伝送する各システム情報はシステム情報の時間領域リソースＴ１、Ｔ２、Ｔ３およびＴ４で順次配布され、またＴ１、Ｔ２、Ｔ３およびＴ４に配布されている各システム情報が占用する周波数領域リソースは互いに異なっている。Ｔ１で第３のグループのシステム情報を伝送するシステム情報の周波数領域リソースはＦ１である。Ｔ２で第３のグループのシステム情報を伝送するシステム情報の周波数領域リソースはＦ３であり;Ｔ３で第３のグループのシステム情報を伝送するシステム情報の周波数領域リソースはＦ２であり;Ｔ４で第３のグループのシステム情報を伝送するシステム情報の周波数領域リソースはＦ４である。
【００６１】
分かるように、Ｔ１、Ｔ２、Ｔ３、Ｔ４のうちのいずれのシステム情報の時間領域リソースに配布されているかを問わず、端末デバイスはすべてネットワークデバイスによって送信された４つのグループのシステム情報を受信することができ、またＦ１、Ｆ２、Ｆ３、Ｆ４のうちのいずれのシステム情報の周波数領域リソースに配布されているかを問わず、端末デバイスはすべてのネットワークデバイスによって送信された４つのグループのシステム情報を受信することができる。端末デバイスがデータの伝送遅延に対する要求が高い場合、Ｔ１、Ｔ２、Ｔ３、Ｔ４のうちのいずれの時間領域リソースですべての４つのグループのシステム情報を迅速に取得して、システムに迅速にアクセスすることができる。端末デバイスが復調できる帯域幅が制限され、データの伝送遅延の要求が低い場合、Ｆ１、Ｆ２、Ｆ３、Ｆ４のうちのいずれの周波数領域リソースでＴ１、Ｔ２、Ｔ３およびＴ４上のすべての４つのグループのシステム情報を受信することができる。
【００６２】
したがって、本発明は実施例のシステム情報の伝送方法を提供して、異なるタイプの端末デバイスが取得するシステム情報に対する異なるニーズを同時に満足させることができる。
【００６３】
また、本発明の実施例のシステム情報の時間領域リソースはネットワークデバイスによって配置されたシステム情報を伝送するのに用いられる時間領域リソースであり、当該システム情報の時間領域リソースは時間領域で事前に設定した規定に基づいて配布されている時間領域リソース、例えば、図３〜図７のようにＴ１、Ｔ２、Ｔ３、Ｔ４であってもよく、ここで、Ｔ１、Ｔ２、Ｔ３、Ｔ４は連続されるシステム情報の時間領域リソースである。本発明の実施例のシステム情報の周波数領域リソースはネットワークデバイスによって配置されたシステム情報を伝送するのに用いられる周波数領域リソースであり、当該システム情報の周波数領域リソースは周波数領域で事前に設定した規定に基づいて配布されている周波数領域リソース、例えば、図３〜図７のようにＦ１、Ｆ２、Ｆ３、Ｆ４であってもよく、ここで、Ｆ１、Ｆ２、Ｆ３、Ｆ４は連続されるシステム情報の周波数領域リソースである。
【００６４】
他の実施例として、第ｉグループのシステム情報中のシステム情報は連続されるシステム情報の周波数領域リソースを占用する。
【００６５】
具体的に、時間領域で連続して配布されている前記第ｉグループのシステム情報中の各システム情報の時間周波数リソースは周波数領域で連続して配布されている。このｎグループのシステム情報はサイクリックシフト方式により時間領域リソースと周波数領域リソースにマッピングできる。ある時間領域リソース例えばＴ１においてｎグループのシステム情報が周波数領域で一定の順序で配列されている場合、順次隣接する時間領域リソース例えばＴ２、Ｔ３、Ｔ４においてｎグループのシステム情報の周波数領域での配布は、ｎグループのシステム情報の時間領域リソースＴ１での配列順序に対してサイクリックシフトした後に取得したものである。ある周波数領域リソース例えばＦ１においてｎグループのシステム情報が周波数領域で一定の順序で配列されている場合は、順次隣接する周波数領域リソース例えばＦ２、Ｆ３、Ｆ４においてｎグループのシステム情報の時間領域での配布は、ｎグループのシステム情報の周波数領域リソースＦ１での配列順序に対してサイクリックシフトした後に取得したものである。
【００６６】
例えば、図４は、本発明の実施例の参照信号を伝送するのに用いられる時間周波数リソースの模式図である。システム情報の時間領域リソースＴ１でｎグループのシステム情報に使用されるシステム情報の周波数領域リソースはそれぞれＦ２、Ｆ３、Ｆ４、Ｆ１であり;システム情報の時間領域リソースＴ２でｎグループのシステム情報に使用されるシステム情報の周波数領域リソースはそれぞれＦ３、Ｆ４、Ｆ１、Ｆ２であり;システム情報の時間領域リソースＴ３でｎグループのシステム情報に使用されるシステム情報の周波数領域リソースはそれぞれＦ４、Ｆ１、Ｆ２、Ｆ３であり;システム情報の時間領域リソースＴ４でｎグループのシステム情報に使用されるシステム情報の周波数領域リソースはそれぞれＦ１、Ｆ２、Ｆ３、Ｆ４である。
【００６７】
同様に、図４で示すように、システム情報の周波数領域リソースＦ１でｎグループのシステム情報に使用されるシステム情報の時間周波数リソースはそれぞれＴ４、Ｔ３、Ｔ２およびＴ１であり;システム情報の周波数領域リソースＦ２でｎグループのシステム情報に使用されるシステム情報の時間周波数リソースはそれぞれＴ１、Ｔ４、Ｔ３およびＴ２であり;システム情報の周波数領域リソースＦ３でｎグループのシステム情報に使用されるシステム情報の時間周波数リソースはそれぞれＴ２、Ｔ１、Ｔ４およびＴ３であり;システム情報の周波数領域リソースＦ４でｎグループのシステム情報に使用されるシステム情報の時間周波数リソースはそれぞれＴ３、Ｔ２、Ｔ１およびＴ４である。
【００６８】
このように、上記いずれのシステム情報の時間領域リソースＴ１、Ｔ２、Ｔ３またはＴ４で端末デバイスはすべてのグループのシステム情報を受信することができ、これは復調できる帯域幅が限られるが遅延要求が低い端末デバイスに適用することができる。いずれのシステム情報の周波数領域リソースＦ１、Ｆ２、Ｆ３またはＦ４で端末デバイスはすべてのグループのシステム情報を受信することができ、これはシステム情報を迅速に取得する端末デバイスに適用される。
【００６９】
また、当該実施例で図４に示すリソースマトリックス中の若干の行および/または列を任意に交換する場合、取得したリソースマトリックスは端末デバイスがいずれのシステム情報の時間領域リソースＴ１、Ｔ２、Ｔ３またはＴ４ですべてのシステム情報を受信することができ、またいずれのシステム情報の周波数領域リソースＦ１、Ｆ２、Ｆ３、またはＦ４ですべてのシステム情報を受信できるように満足させることができる。例えば、図３に示したリソースマトリックスは、図４に示したリソースマトリックスで第２列と第３列を交換して取得することができる。
【００７０】
さらに、あるシステム情報の時間領域リソースおよび/またはシステム情報の周波数領域リソースを使用できない場合、システム情報の時間領域リソースおよび/またはシステム情報の周波数領域リソースでシステム情報を伝送しなくてもよく、すなわち、上記ｋ<ｎである場合である。例えば、図５に示すように、本発明の実施例の参照信号を伝送するのに用いられる時間領域リソースの模式図で（Ｔ３、Ｆ３）、（Ｔ３、Ｆ４）、（Ｔ４、Ｆ３）、（Ｔ４、Ｆ４）この４つの時間領域リソースを使用できない場合、この４つの時間領域リソースはシステム情報を伝送するのに用いられない。しかし、端末デバイスはやはりＴ１、Ｔ２、Ｆ１とＦ２で完全なシステム情報を取得することができる。図５で示すリソースマトリックスは上記図３または図４から任意に抽出された行および/または列を組み合わせて取得したものと見ることができる。極端に、ｎグループのシステム情報を送信する時間周波数リソースは図６に示すようにＴ１とＦ２のみに配布されることができ、端末デバイスはシステム情報の時間領域リソースＴ１及びシステム情報の周波数領域リソースＦ２でネットワークデバイスによって送信されたすべての４つのグループのシステム情報を検出することができる。
【００７１】
また、（Ｔ３、Ｆ３）、（Ｔ３、Ｆ４）、（Ｔ４、Ｆ３）、（Ｔ４、Ｆ４）この４つの時間領域リソースを使用できない場合、元元この４つの時間領域リソースに配置されて送信されるシステム情報は、シンボル分割多重化（ＣＯＤＥ ＤＩＶＩＳＩＯＮ ＭＵＬＴＩＰＬＥＸＩＮＧ、「ＣＤＭ」と略称する）方式で他のグループに属するシステム情報と同じ時間領域リソースによって多重化される。
【００７２】
他の実施例として、当該第ｉグループのシステム情報のうちのｋ個のシステム情報の第ｍ個のシステム情報の時間周波数リソースは、当該ｋ個のシステム情報を除いた他のシステム情報の時間領域リソースと同じであり、またその第ｍ個のシステム情報のコード領域のリソースは他のシステム情報のコード領域のリソースと異なり、ｍはｋ以上の正の整数である。
【００７３】
具体的に、時間領域および/または周波数領域であるシステム情報のグループ化ではコード分割多重化方式を使用して多重化され、すなわち異なるグループに属するシステム情報は同じ時間周波数リソースを占用して伝送されるが、異なるコード領域リソースを使用して、すなわち異なるコード化方式を使用して区分する。コード分割多重は周波数領域および/または時間領域に関するものであってもいい。周波数領域で隣接する２つのシステム情報は符号分割多重方式により時間周波数リソースで伝送されることができ、時間領域で隣接する２つのシステムの情報も符号分割多重方式により時間周波数リソースで伝送されることができる。
【００７４】
例えば、図７は、本発明の実施例の参照信号を伝送するのに用いられる時間周波数リソースの模式図であり、図３に対応し、第１のグループのシステム情報と第３のグループのシステム情報はＣＤＭによって多重化でき、第２のグループのシステム情報と第４のグループのシステム情報もＣＤＭによって多重化できる。
【００７５】
分かるように、図７に示す時間周波数リソースにおいて、端末デバイスがいずれのシステム情報の時間領域リソースＴ１、Ｔ２、Ｔ３またはＴ４ですべてのグループのシステム情報を受信することができ、またいずれのシステム情報の周波数領域リソースＦ１、Ｆ２、Ｆ３、またはＦ４ですべての４つのグループのシステム情報を受信できるように満足させることができる。
【００７６】
２２０、ネットワークデバイスは当該時間周波数リソースでｎグループのシステム情報を送信する。
【００７７】
ネットワークデバイスは確定したｎグループのシステム情報を送信する時間周波数リソースでｎグループのシステム情報を送信する。また、ネットワークデバイスは一定の周期で前記当該時間周波数リソース中の各システム情報を送信する時間周波数リソースの位置に基づいて対応するシステムを送信する。つまり、ネットワークデバイスは定期的または連続的に前記実施例で説明したリソースマトリックスを送信することができる。例えば、ネットワークデバイスは定期的に図３、図４、図５、図６または図７に示すリソースマトリックスに基づいてｎグループのシステム情報を送信することができる。
【００７８】
２３０、端末デバイスがｎグループのシステム情報を受信するのに用いられる時間周波数リソースを確定する。
【００７９】
選択可能に、端末デバイスはｎグループのシステム情報を受信するのに用いられる時間周波数リソースを確定し、すなわち２３０は２３１と２３２を含んでもよい。
【００８０】
２３１、ネットワークデバイスは第ｉグループのシステム情報中に含まれている指示情報を送信する。
【００８１】
２３２、端末デバイスはネットワークデバイスによって送信された第ｉグループのシステム情報中に含まれる当該指示情報を受信する。
【００８２】
ここで、当該指示情報はｎグループのシステム情報中の各システム情報の時間周波数リソースの位置を指示するのに用いられる。
【００８３】
２４０、端末デバイスは当該時間周波数リソースでネットワークデバイスによって送信された当該ｎグループのシステム情報を受信する。
【００８４】
具体的には、端末デバイスはネットワークデバイスによって送信された第ｉグループのシステム情報中に含まれている当該指示情報を受信した後、当該指示情報に基づいて、当該ｎグループのシステム情報のうちの各システム情報を受信する時間周波数リソースの位置を確定して、ネットワークデバイスによって送信された当該ｎグループのシステム情報を受信することができる。
【００８５】
他の実施例として、２３１、ネットワークデバイスは当該指示情報と特定のシステム情報の時間領域の間隔および/または周波数領域の間隔に基づいて、前記第ｉグループのシステム情報中に含まれている指示情報を送信することができる。また、２３２、端末デバイスはその指示情報と特定のシステム情報の時間領域の間隔および/または周波数領域の間隔に基づいて、前記ネットワークデバイスによって送信された前記第ｉグループのシステム情報中に含まれている指示情報を受信することができる。
【００８６】
具体的には、端末デバイスはシステム情報を受信する場合、まずこのｎグループのシステム情報中の各システム情報に使用される時間周波数リソースすなわち当該指示情報を取得する必要がある。各時間周波数リソースとの間の配布の関係はプロトコルによって事前に規定することができる。または、ネットワークデバイスはこれらのシステム情報の配布の関係をあるグループのシステム情報の中に含ませることができる。例えば、第１のグループのシステム情報中に当該指示情報が含まれ、端末デバイスが第１のグループのシステム情報を受信した場合、端末デバイスは当該指示情報が指示するこのｎグループのシステム情報中の各システム情報に使用される時間周波数リソースの位置を取得することができる。当該第１のグループのシステム情報を伝送する時間周波数リソースはプロトコルによって規定されたものであってもよく、ある特定のシステム信号で暗示する指示関係、例えばシステムの同期信号すなわち主同期信号（Ｐｒｉｍａｒｙ ＳｙｎｃｈｒｏｎｉｚａＴｉｏｎ Ｓｉｇｎａｌ、「ＰＳＳ」と略す）または副同期信号（Ｓｅｃｏｎｄａｒｙ ＳｙｎｃｈｒｏｎｉｚａＴｉｏｎ Ｓｉｇｎａｌ、「ＳＳＳ」と略称する）によって規定された時間領域および/または周波数領域での位置関係であってもいい。例えば、端末デバイスはシステムの同期信号を検出した後、当該指示情報を受信する時間周波数リソースの位置が当該同期信号の後の固定された時間および/または周波数の位置にあることを確定することができ、端末デバイスは当該指示情報を受信した後、当該指示情報が指示する位置でｎグループのシステム情報中の各システム情報を受信する時間周波数リソースの位置、または時間周波数リソースとの間の配布の関係を検出することができる。
【００８７】
本発明の他の実施例として、２１０、ネットワークデバイスが確定したｎグループのシステム情報を伝送する時間周波数リソースで、前記ｎグループのシステム情報のうちの第ｉグループのシステム情報は周波数領域で連続されるシステム情報の時間領域リソースを占用することができ、且つ前記第ｉグループのシステム情報中のシステム情報が占用するシステム情報の時間領域リソースは互いに異なり、前記第ｉグループのシステム情報にはｋ個のシステム情報が含まれ、ここで、前記ｎは正の整数であり、前記ｋは正の整数であり、前記ｉはｎ以下の正の整数である。
【００８８】
これにより、上記端末デバイスがいずれのシステム情報の時間領域リソースにおいてすべてのグループのシステム情報を受信することができ、また端末デバイスがいずれのシステム情報の周波数領域リソースにおいてもすべてのグループのシステム情報を受信できるように満足させることができる。ｎグループのシステム情報を伝送する時間周波数リソースにおいて、各システム情報の時間領域リソースとシステム情報の周波数領域リソースの両方でｎグループのシステム情報を送信できるように満足させることができる。
【００８９】
この実施例の具体的な説明は２１０でシステム情報を伝送する時間周波数リソースの説明を参照することができ、簡潔にするために、ここで説明を省略する。
【００９０】
また、本発明の様々な実施形態において、前記各プロセスの番号の大きさは実行順序の前後を意味するものではなく、各プロセスの実行順序はその機能や内的論理によって確定され、本発明の実施例の実行プロセスを限定しない。
【００９１】
以上では、本発明の実施例のデータ伝送の方法を説明し、以下では、本発明の実施例のネットワークデバイスと端末デバイスを説明する。また、本発明の実施例のネットワークデバイスと端末デバイスは上記本発明の実施例の様々な方法を実行することができ、すなわち以下の各種デバイスの具体的な動作過程は上記の方法の実施例に対応するプロセスを参照することができる。
【００９２】
図８は、本発明の実施形態のネットワークデバイス８００のブロック図である。図８に示すように、当該ネットワークデバイス８００は確定モジュール８０１と送信モジュール８０２を含む。
【００９３】
確定モジュール８０１はｎグループのシステム情報を伝送するのに用いられる時間周波数リソースを確定し、前記ｎグループのシステム情報のうちの第ｉグループのシステム情報は時間領域で連続されるシステム情報の時間領域リソースを占用し、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
送信モジュール８０２は前記確定モジュール８０１が確定した前記時間周波数リソースで上記ｎグループのシステム情報を送信するのに用いられる。
【００９４】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【００９５】
選択可能に、第ｉグループのシステム情報中のシステム情報は連続されるシステム情報の周波数領域リソースを占用する。
【００９６】
選択可能に、前記送信モジュール８０２はまた前記第ｉグループのシステム情報中に含まれている指示情報を送信するのに用いられ、前記指示情報は前記ｎグループのシステム情報中の各システム情報の時間周波数リソースを指示するのに用いられる。
【００９７】
選択可能に、前記送信モジュール８０２は具体的に上記の指示情報と特定のシステム情報の時間領域の間隔および/または周波数領域の間隔に基づいて、前記第ｉグループのシステム情報中に含まれている指示情報を送信するのに用いられる。
【００９８】
選択可能に、前記特定のシステム情報は主同期信号ＰＳＳまたは副同期信号ＳＳＳを含む。
【００９９】
また、本発明の実施例で、確定モジュール８０１はプロセッサによって実現することができ、送信モジュール８０２はトランシーバによって実現されてもいい。図８に示すように、ネットワークデバイス９００はプロセッサ９１０、トランシーバ９２０とメモリ９３０を含んでもいい。ここで、トランシーバ９２０は受信機９２１と送信機９２２を含んでもよく、メモリ９３０は基本パラメータおよびフィルタリング方式などの関連する情報を記憶するのに用いられ、またプロセッサ９１０によって実行されるコードなどを記憶するのに用いられる。ネットワークデバイス９００中の各コンポーネントはバスシステム９４０によって接続され、ここで、バスシステム９４０はデータバスに加えて、電源バス、制御バスおよびステータス信号バスを含む。
【０１００】
選択可能に、第ｉグループのシステム情報中のシステム情報は連続されるシステム情報の周波数領域リソースを占用する。
【０１０１】
選択可能に、前記トランシーバ９２０はまた前記第ｉグループのシステム情報中に含まれている指示情報を送信するのに用いられ、上記の指示情報は上記ｎグループのシステム情報中の各システム情報の時間周波数リソースを指示するのに用いられる。
【０１０２】
選択可能に、前記トランシーバ９２０は具体的に上記の指示情報と特定のシステム情報の時間領域の間隔および/または周波数領域の間隔に基づいて、前記第ｉグループのシステム情報中に含まれている指示情報を送信するのに用いられる。
【０１０３】
選択可能に、前記特定のシステム情報は主同期信号ＰＳＳまたは副同期信号ＳＳＳを含む。
【０１０４】
図１０は、本発明の実施例のシステムチップの構成図である。図１０のシステムチップ１０００は入力インターフェイス１００１、出力インターフェース１００２、１つ以上のプロセッサ１００３、メモリ１００４を含み、前記入力インタフェース１００１、出力インターフェース１００２、上記プロセッサ１００３とメモリ１００４との間はバス１００５によって接続され、前記プロセッサ１００３は上記メモリ１００４中のコードを実行するのに用いられ、前記のコードが実行される場合、上記プロセッサ１００３は図２〜図７のネットワークデバイスによって実行される方法を実現する。
【０１０５】
図８のネットワークデバイス８００または図９のネットワークデバイス９００または図１０のシステムチップ１０００は、上記図２〜図７の方法の実施例でネットワークデバイスによって実現される各プロセスを実現でき、重複するのを避けて、ここでは説明を省略する。
【０１０６】
図１１は、本発明の実施形態の端末デバイス１１００のブロック図である。図１１に示すように、当該端末デバイス１１００は確定モジュール１１０１と受信モジュール１１０２を含む。
【０１０７】
確定モジュール１１０１はｎグループのシステム情報を受信するのに用いられる時間周波数リソースを確定するのに用いられ、前記ｎグループのシステム情報のうちの第ｉグループのシステム情報は時間領域で連続されるシステム情報の時間領域リソースを占用し、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
受信モジュール１１０２は上記確定モジュール１１０１が確定した前記時間周波数リソースでネットワークデバイスによって送信された前記ｎグループのシステム情報を受信するのに用いられる。
【０１０８】
したがって、システム情報の時間領域リソースで端末デバイスはすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０１０９】
選択可能に、第ｉグループのシステム情報中のシステム情報は連続されるシステム情報の周波数領域リソースを占用する。
【０１１０】
選択可能に、前記受信モジュール１１０２は具体的に上記ネットワークデバイスによって送信された前記第ｉグループのシステム情報中に含まれている指示情報を受信し、前記指示情報に基づいて前記時間周波数リソースで前記ネットワークデバイスによって送信された前記ｎグループのシステム情報を受信するのに用いられ、前記指示情報は前記ｎグループのシステム情報中の各システム情報の時間周波数リソースを指示するのに用いられる。
【０１１１】
選択可能に、前記受信モジュール１１０２は具体的に上記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１１２】
選択可能に、前記特定のシステム情報は主同期信号ＰＳＳまたは副同期信号ＳＳＳを含む。
【０１１３】
また、本発明の実施例で、受信モジュール１１０２はトランシーバによって実現されてもよく、確定モジュール１１０１はプロセッサによって実現されてもいい。図１２に示すように、ネットワークデバイス１２００はプロセッサ１２１０、トランシーバ１２２０およびメモリ１２３０を含んでもいい。ここで、トランシーバ１２２０は受信機１２２１と送信機１２２２を含んでもよく、メモリ１２３０は基本パラメータおよびフィルタリング方式などに関する情報を記憶してもよく、またプロセッサ１２１０によって実行されるコードなどを記憶してもいい。ネットワークデバイス１２００中の各コンポーネントはバスシステム１２４０によって接続され、ここでバスシステム１２４０はデータバスに加えて、電源バス、制御バスおよびステータス信号バスなどをさらに含む。
【０１１４】
ここで、プロセッサ１２１０はｎグループのシステム情報を受信するのに用いられる時間周波数リソースを確定するのに用いられ、前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
トランシーバ１２２０は上記プロセッサ１２１０が確定した前記時間周波数リソースでネットワークデバイスによって送信された前記ｎグループのシステム情報を受信するのに用いられる。
【０１１５】
選択可能に、第ｉグループのシステム情報中のシステム情報は連続されるシステム情報の周波数領域リソースを占用する。
【０１１６】
選択可能に、前記トランシーバ１２２０は具体的に上記ネットワークデバイスによって送信された前記第ｉグループのシステム情報中に含まれている指示情報を受信し、前記指示情報に基づいて上記時間周波数リソースで前記ネットワークデバイスによって送信された前記ｎグループのシステム情報を受信するのに用いられ、上記の指示情報は上記ｎグループのシステム情報中の各システム情報の時間領域リソースを指示するのに用いられる。
【０１１７】
選択可能に、前記トランシーバ１２２０は具体的に上記指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１１８】
選択可能に、前記特定のシステム情報は主同期信号ＰＳＳまたは副同期信号ＳＳＳを含む。
【０１１９】
図１３は、本発明の実施例のシステムチップの構成図である。図１３のシステムチップ１３００は入力インターフェイス１３０１、出力インターフェース１３０２、１つ以上のプロセッサ１３０３、メモリ１３０４を含み、前記入力インタフェース１３０１、出力インターフェース１３０２、前記プロセッサ１３０３およびメモリ１３０４との間はバス１３０５によって接続され、前記プロセッサ１３０３は前記メモリ１３０４中のコードを実行し、前記コードが実行される場合、前記プロセッサ１３０３は図２〜図７の端末デバイスによって実行される方法を実現する。
【０１２０】
図１１に示めす端末デバイス１１００または図１２に示めす端末デバイス１２００または図１３に示めすシステムチップ１３００は、前記図２〜図７の方法の実施例で端末デバイスによって実現される各プロセスを実現でき、重複するのを避けて、ここでの説明を省略する。
【０１２１】
図１４は、本発明の実施形態のネットワークデバイス１４００のブロック図である。図１４に示すように、ネットワークデバイス１４００は確定モジュール１４０１と送信モジュール１４０２を含む。
【０１２２】
確定モジュール１４０１はｎグループのシステム情報を送信するのに用いられる時間周波数リソースを確定するのに用いられ、前記ｎグループのシステム情報のうちの第ｉグループのシステム情報は周波数領域で連続されるシステム情報の周波数領域リソースを占用し、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
送信モジュール１４０２は上記確定モジュール１４０１が確定した前記時間周波数リソースで上記ｎグループのシステム情報を送信するのに用いられる。
【０１２３】
したがって、端末デバイスはシステム情報の時間領域リソースにおいてすべてのグループのシステム情報を受信することができ、端末デバイスはいずれのシステム情報の周波数領域リソースにおいてもすべてのグループのシステム情報を受信することができるので、異なるタイプの端末デバイスが取得するシステム情報に対する異なるニーズを同時に満足させることができる。
【０１２４】
選択可能に、前記送信モジュール１４０２はまた、
前記第ｉグループのシステム情報中に含まれている指示情報を送信するのに用いられ、上記の指示情報は上記ｎグループのシステム情報中の各システム情報の時間周波数リソースを指示するのに用いられる。
【０１２５】
選択可能に、前記送信モジュール１４０２は具体的に上記の指示情報と特定のシステム情報の時間領域の間隔および/または周波数領域の間隔に基づいて、前記第ｉグループのシステム情報中に含まれている指示情報を送信するのに用いられる。
【０１２６】
選択可能に、前記特定のシステム情報は主同期信号ＰＳＳまたは副同期信号ＳＳＳを含む。
【０１２７】
また、本発明の実施例で、送信モジュール１４０２はトランシーバによって実現されてもよく、確定モジュール１４０１はプロセッサによって実現されてもいい。図１５に示すように、ネットワークデバイス１５００はプロセッサ１５１０、トランシーバ１５２０およびメモリ１５３０を含んでもよい。ここで、トランシーバ１５２０は受信機１５２１と送信機１５２２を含んでもよく、メモリ１５３０は基本パラメータおよびフィルタリング方式などに関する情報を記憶するのに用いられ、またプロセッサ１５１０によって実行されるコードなどを記憶するのに用いられてもいい。ネットワークデバイス１５００中の各コンポーネントはバスシステム１５４０によって接続され、ここで、バスシステム１５４０はデータバスに加えて、電源バス、制御バス、およびステータス信号バスなどをさらに含む。
【０１２８】
図１６は、本発明の実施例のシステムチップの構成図である。図１６のシステムチップ１６００は入力インターフェイス１６０１、出力インターフェース１６０２、１つ以上のプロセッサ１６０３、メモリ１６０４を含んでいる、前記入力インタフェース１６０１、出力インターフェース１６０２、前記プロセッサ１６０３およびメモリ１６０４との間はバス１６０５によって接続され、前記プロセッサ１６０３は上記メモリ１６０４中のコードを実行するのに用いられ、前記のコードが実行される場合、上記プロセッサ１６０３は図２〜図７のネットワークデバイスによって実行される方法を実現する。
【０１２９】
図１４に示めすネットワークデバイス１４００または図１５に示めすネットワークデバイス１５００または図１６に示めすシステムチップ１６００は、上記図２〜図７の方法の実施例でネットワークデバイスによって実現される各過程を実現することができて、重複するのを避けて、ここでの説明を省略する。
【０１３０】
図１７は、本発明の実施形態の端末デバイス１７００のブロック図である。図１７のように、当該端末デバイス１７００は確定モジュール１７０１と受信モジュール１７０２を含む。
【０１３１】
ここで、確定モジュール１７０１はｎグループのシステム情報を受信するのに用いられる時間周波数リソースを確定するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
受信モジュール１７０２は前記確定モジュール１７０１が確定した時間周波数リソースでネットワークデバイスによって送信された前記ｎグループのシステム情報を受信するのに用いられる。
【０１３２】
選択可能に、前記受信モジュール１７０２は具体的に、前記ネットワークデバイスによって送信された前記第ｉグループのシステム情報中に含まれている指示情報を受信し、前記指示情報に基づいて上記時間周波数リソースで前記ネットワークデバイスによって送信された前記ｎグループのシステム情報を受信するのに用いられ、前記の指示情報は前記ｎグループのシステム情報中の各システム情報の時間周波数リソースを指示するのに用いられる。
【０１３３】
選択可能に、前記受信モジュール１７０２は具体的に、前記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１３４】
選択可能に、前記特定のシステム情報は主同期信号ＰＳＳまたは副同期信号ＳＳＳを含む。
【０１３５】
また、本発明の実施例で受信モジュール１７０２はトランシーバによって実現されてもよく、確定モジュール１７０１はプロセッサによって実現されてもいい。図１８に示すように、ネットワークデバイス１８００はプロセッサ１８１０、トランシーバ１８２０およびメモリ１８３０を含んでもよい。ここで、トランシーバ１８２０は受信機１８２１と送信機１８２２を含んでもよく、メモリ１８３０は基本パラメータおよびフィルタリング方式などの関する情報を記憶してもよく、またプロセッサ１８１０に実行されるコードなどを記憶してもいい。ネットワークデバイス１８００中の各コンポーネントはバスシステム１８４０によって接続され、ここで、バスシステム１８４０はデータバスに加えて、電源バス、制御バス、およびステータス信号バスなどをさらに含む。
【０１３６】
ここで、プロセッサ１８１０はｎグループのシステム情報を受信するのに用いられる時間周波数リソースを確定するのに用いられ、前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である;
トランシーバ１８２０は前記確定モジュール１６０１が確定した時間周波数リソースでネットワークデバイスによって送信された前記ｎグループのシステム情報を受信するのに用いられる。
【０１３７】
選択可能に、前記トランシーバ１８２０具体的に、前記ネットワークデバイスによって送信された前記第ｉグループのシステム情報中に含まれている指示情報を受信し、前記指示情報に基づいて前記時間周波数リソースで前記ネットワークデバイスによって送信された前記ｎグループのシステム情報を受信するのに用いられ、上記の指示情報は上記ｎグループのシステム情報中の各システム情報の時間周波数リソースを指示するのに用いられる。
【０１３８】
選択可能に、前記トランシーバ１８２０具体的に、上記の指示情報と特定のシステム情報の時間領域の間隔および/または周波数領域の間隔に基づいて、前記ネットワークデバイスによって送信された前記第ｉグループのシステム情報中に含まれている指示情報を受信するのに用いられる。
【０１３９】
選択可能に、前記特定のシステム情報は主同期信号ＰＳＳまたは副同期信号ＳＳＳを含む。
【０１４０】
図１９は、本発明の実施例のシステムチップの構成図である。図１９のシステムチップ１９００は入力インターフェイス１９０１、出力インターフェース１９０２、１つ以上のプロセッサ１９０３、メモリ１９０４を含み、前記入力インタフェース１９０１、出力インターフェース１９０２、上記プロセッサ１９０３およびメモリ１９０４との間はバス１９０５によって接続され、前記プロセッサ１９０３は上記メモリ１９０４中のコードを実行し、前記コードが実行される場合、上記プロセッサ１９０３は図２〜図７の端末デバイスによって実行される方法を実現する。
【０１４１】
図１７に示めすネットワークデバイス１７００または図１８に示めすネットワークデバイス１８００または図１９に示めすシステムチップ１９００は、上記図２〜図７の方法の実施例で端末デバイスによって実現される各過程を実現することができて、重複するのを避けて、ここでの説明を省略する。
【０１４２】
また、本発明の実施例におけるプロセッサは集積回路チップであってもよく、信号処理能力を備えている。実現過程において、上記方法の実施例における各ステップは、プロセッサにおけるハードウェアの集積論理回路又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場プログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。本発明の実施例における開示された各方法、ステップ及び論理ブロック図を実現、又は実行することができる。汎用プロセッサはマイクロプロセッサであっても良く、又は該プロセッサはいずれの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されてもいい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完成する。
【０１４３】
本発明の実施例におけるメモリは揮発性記憶装置又は不揮発性記憶装置であっても良く、又は揮発性記憶装置及び不揮発性記憶装置の両者を含むことができると理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１４４】
また、本明細書に記載される「システム」及び「ネットワーク」という単語は交換可能に使用される。本明細書に記載される「及び／又は」は関連対象の関連関係を説明するものだけであり、以下の３つの関係を示す。例えば、Ａ及び／又はＢは、Ａが単独で存在すること、ＡとＢが同時に存在すること、及びＢが単独で存在することそれぞれ示す。また、本明細書に記載される「／」は、通常前後の関連対象の「又は」の関係を示す。
【０１４５】
なお、本発明の実施例において、「Ａに対応するＢ」は、ＢがＡに関連し、ＡによってＢを確定することを示す。ただし、ＡによってＢを確定することは、ＡのみによってＢを確定することを意味するのではなく、Ａ及び／又は他の情報によってＢを確定してもよい。
【０１４６】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約により決められる。当業者は、各特定応用に応じて異なる方法を用いて、説明されている機能を実現することができるが、このような実現は本発明の範囲を超えていると見なすべきではない。
【０１４７】
説明上の利便性と簡潔を考慮して、上記に記載されているシステム、装置、およびユニットの具体的な動作過程については、上記方法の実施例に対応する過程を参照することができると、当業者であれば理解でき、ここで説明を省略する。
【０１４８】
本願に提供されている幾つかの実施例において、開示されているシステム、装置及び方法は、その他の方式によって実現されても良い。例えば、上記に記載されている装置の実施例は単なる例示的なものに過ぎず、例えば、前記ユニットの区画が、単なるロジック機能の区画であり、実際、実現する時に他の区画があっても良く、例えば、複数のユニット又はコンポーネントを別のシステムに統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１４９】
上記で分離コンポーネントとして説明したユニットは、物理的に分離されるものであっても良く、そうでないものであっても良い。ユニットとして示されるコンポーネントは物理ユニットであっても良く、そうでないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５０】
また、本発明の各実施例における各機能ユニットは、一つの処理ユニットに統合しても良く、各ユニットはそれぞれ単独なユニットとしても良く、二つ又は二つ以上のユニットを一つのユニットに集成しても良い。
【０１５１】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分または当該技術案の部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【手続補正２】
【補正対象書類名】特許請求の範囲
【補正対象項目名】全文
【補正方法】変更
【補正の内容】
【特許請求の範囲】
【請求項１】
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は時間領域で連続されるシステム情報の時間領域リソースを占用して、且つ前記第ｉグループのシステム情報中のシステム情報が占用するシステム情報の周波数領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項２】
前記第ｉグループのシステム情報中のシステム情報は連続されるシステム情報の周波数領域リソースを占用する
ことを特徴とする請求項１に記載のシステム情報の伝送方法。
【請求項３】
前記ｋは前記ｎ以下である
ことを特徴とする請求項１または２に記載のシステム情報の伝送方法。
【請求項４】
前記端末デバイスが前記時間周波数リソースでネットワークデバイスによって送信された前記ｎグループのシステム情報を受信するステップの前に、前記システム情報の伝送方法は、さらに、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ、
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む
ことを特徴とする請求項１〜３のいずれか１項に記載のシステム情報の伝送方法。
【請求項５】
前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および周波数領域の間隔のうち少なくとも一つに基づいて、前記ネットワークデバイスによって送信された前記第ｉグループのシステム情報中に含まれている指示情報を受信するステップを含む
ことを特徴とする請求項４に記載のシステム情報の伝送方法。
【請求項６】
前記特定のシステム情報は主同期信号ＰＳＳまたは副同期信号ＳＳＳを含む
ことを特徴とする請求項５に記載のシステム情報の伝送方法。
【請求項７】
ネットワークデバイスがｎグループのシステム情報を伝送するのに用いられる時間周波数リソースを確定するステップと、
前記ネットワークデバイスが前記時間周波数リソースで前記ｎグループのシステム情報を送信するステップとを含み、
前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項８】
前記システム情報の伝送方法は、
前記ネットワークデバイスが前記第ｉグループのシステム情報中に含まれている指示情報を送信するステップをさらに含み、前記指示情報は前記ｎグループのシステム情報中の各システム情報の時間周波数リソースを指示するのに用いられる
ことを特徴とする請求項７に記載のシステム情報の伝送方法。
【請求項９】
端末デバイスがｎグループのシステム情報を受信するのに用いられる時間周波数リソースを確定するステップと、
前記端末デバイスが前記時間周波数リソースでネットワークデバイスによって送信された前記ｎグループのシステム情報を受信するステップとを含み、
前記ｎグループのシステム情報のうちの第ｉグループのシステム情報は周波数領域で連続されるシステム情報の周波数領域リソースを占用して、且つ前記第ｉグループのシステム情報中のシステム情報が占用するシステム情報の時間領域リソースは互いに異なり、前記第ｉグループのシステム情報はｋ個のシステム情報を含み、ここで、前記ｎは正の整数であり、前記ｋは正の整数であり、前記ｉはｎ以下の正の整数である
ことを特徴とするシステム情報の伝送方法。
【請求項１０】
前記ｋはｎ以下である
ことを特徴とする請求項９に記載のシステム情報の伝送方法。
【請求項１１】
前記端末デバイスが前記時間周波数リソースでネットワークデバイスによって送信された前記ｎグループのシステム情報を受信するステップの前に、前記システム情報の伝送方法は、さらに、
前記端末デバイスが前記ネットワークデバイスによって送信された前記第ｉグループのシステム情報中に含まれている指示情報を受信するステップを含み、前記指示情報は前記ｎグループのシステム情報中の各システム情報の時間周波数リソースを指示するのに用いられ、
ここで、前記端末デバイスが前記時間周波数リソースでネットワークデバイスによって送信された前記ｎグループのシステム情報を受信するステップは、
前記端末デバイスが前記の指示情報に基づいて前記時間周波数リソースで前記ネットワークデバイスによって送信された前記ｎグループのシステム情報を受信するステップを含む
ことを特徴とする請求項９または１０に記載のシステム情報の伝送方法。
【請求項１２】
前記端末デバイスが前記ネットワークデバイスによって送信された前記第ｉグループのシステム情報中に含まれている指示情報を受信するステップは、
前記端末デバイスが前記指示情報と特定のシステム情報との時間領域の間隔および周波数領域の間隔のうち少なくとも一つに基づいて、前記ネットワークデバイスによって送信された前記第ｉグループのシステム情報中に含まれている指示情報を受信するステップを含む
ことを特徴とする請求項１１に記載のシステム情報の伝送方法。
【請求項１３】
前記特定のシステム情報は主同期信号ＰＳＳまたは副同期信号ＳＳＳを含む
ことを特徴とする請求項１２に記載のシステム情報の伝送方法。
【請求項１４】
システム情報を伝送するネットワークデバイスであって、
プロセッサおよび送受信機を含み、
前記プロセッサおよび前記送受信機は請求項７または８に記載の方法を実行するように構成される
ことを特徴とするネットワークデバイス。
【請求項１５】
システム情報を伝送する端末デバイスであって、
プロセッサおよび送受信機を含み、
前記プロセッサおよび前記送受信機は請求項１〜６、９〜１３のいずれか１項に記載の方法を実行するように構成される
ことを特徴とする端末のデバイス。
【国際調査報告】
2019531648.tif 000022
2019531648.tif 000023
2019531648.tif 000024
2019531648.tif 000025